(57)【特許請求の範囲】
【請求項１】
映像情報および音響情報の少なくとも一方であるコンテンツ、および当該コンテンツにつき想定された評価値を受信する受信手段と、
その受信されたコンテンツおよび想定評価値を記憶する記憶手段と、
この記憶手段からコンテンツおよび想定評価値を再生する再生手段と、
その再生されたコンテンツに対する視聴者の反応が反応値として入力される反応値入力手段と、
その入力された反応値から、前記再生手段によって再生されたコンテンツに対する視聴者の評価を認識評価値として算出する認識評価値算出手段と、
その算出された認識評価値と、前記再生手段によって再生された想定評価値とを比較して、制御評価値を算出する制御評価値算出手段と、
その算出された制御評価値によって、前記再生手段による前記記憶手段からのコンテンツの再生を制御する制御手段と、
を備えることを特徴とするコンテンツ受信装置。
【請求項２】
映像情報および音響情報の少なくとも一方であるコンテンツ、および当該コンテンツにつき想定された評価値を受信する受信手段と、
その受信されたコンテンツおよび想定評価値を記憶する記憶手段と、
この記憶手段からコンテンツおよび想定評価値を再生する再生手段と、
その再生されたコンテンツに対する視聴者の評価が認識評価値として入力される認識評価値入力手段と、
その入力された認識評価値と、前記再生手段によって再生された想定評価値とを比較して、制御評価値を算出する制御評価値算出手段と、
その算出された制御評価値によって、前記再生手段による前記記憶手段からのコンテンツの再生を制御する制御手段と、
を備えることを特徴とするコンテンツ受信装置。
【請求項３】
送信元から、映像情報および音響情報の少なくとも一方であるコンテンツ、および当該コンテンツにつき想定された評価値を受信する受信手段と、
その受信されたコンテンツおよび想定評価値を記憶する記憶手段と、
この記憶手段からコンテンツおよび想定評価値を再生する再生手段と、
その再生されたコンテンツに対する視聴者の反応が反応値として入力される反応値入力手段と、
その入力された反応値から、前記再生手段によって再生されたコンテンツに対する視聴者の評価を認識評価値として算出する認識評価値算出手段と、
その算出された認識評価値と、前記再生手段によって再生された想定評価値とを比較して、制御評価値を算出する制御評価値算出手段と、
送信手段によって、前記送信元に前記コンテンツおよび前記想定評価値の送信を要求するとともに、前記制御評価値算出手段によって算出された制御評価値によって、前記再生手段による前記記憶手段からのコンテンツの再生を制御する制御手段と、
を備えることを特徴とするコンテンツ受信装置。
【請求項４】
送信元から、映像情報および音響情報の少なくとも一方であるコンテンツ、および当該コンテンツにつき想定された評価値を受信する受信手段と、
その受信されたコンテンツおよび想定評価値を記憶する記憶手段と、
この記憶手段からコンテンツおよび想定評価値を再生する再生手段と、
その再生されたコンテンツに対する視聴者の評価が認識評価値として入力される認識評価値入力手段と、
その入力された認識評価値と、前記再生手段によって再生された想定評価値とを比較して、制御評価値を算出する制御評価値算出手段と、
送信手段によって、前記送信元に前記コンテンツおよび前記想定評価値の送信を要求するとともに、前記制御評価値算出手段によって算出された制御評価値によって、前記再生手段による前記記憶手段からのコンテンツの再生を制御する制御手段と、
を備えることを特徴とするコンテンツ受信装置。
【請求項５】
映像情報および音響情報の少なくとも一方であるコンテンツ、および当該コンテンツにつき想定された評価値を、受信し、記憶手段に記憶するとともに、記憶手段から再生し、
その再生されたコンテンツに対する視聴者の反応を反応値として取り込み、その取り込んだ反応値から、前記再生されたコンテンツに対する視聴者の評価を認識評価値として算出し、その算出した認識評価値と、前記再生された想定評価値とを比較し、その比較結果によって、前記記憶手段からのコンテンツの再生を制御するコンテンツ呈示制御方法。
【請求項６】
映像情報および音響情報の少なくとも一方であるコンテンツ、および当該コンテンツにつき想定された評価値を、受信し、記憶手段に記憶するとともに、記憶手段から再生し、
その再生されたコンテンツに対する視聴者の評価を認識評価値として取り込み、その取り込んだ認識評価値と、前記再生された想定評価値とを比較し、その比較結果によって、前記記憶手段からのコンテンツの再生を制御するコンテンツ呈示制御方法。
【請求項７】
映像情報および音響情報の少なくとも一方であるコンテンツ、および当該コンテンツにつき想定された評価値の送信を、送信元に要求して、前記コンテンツおよび前記想定評価値を、前記送信元から受信し、記憶手段に記憶するとともに、記憶手段から再生し、
その再生されたコンテンツに対する視聴者の反応を反応値として取り込み、その取り込んだ反応値から、前記再生されたコンテンツに対する視聴者の評価を認識評価値として算出し、その算出した認識評価値と、前記再生された想定評価値とを比較し、その比較結果によって、前記記憶手段からのコンテンツの再生を制御するコンテンツ呈示制御方法。
【請求項８】
映像情報および音響情報の少なくとも一方であるコンテンツ、および当該コンテンツにつき想定された評価値の送信を、送信元に要求して、前記コンテンツおよび前記想定評価値を、前記送信元から受信し、記憶手段に記憶するとともに、記憶手段から再生し、
その再生されたコンテンツに対する視聴者の評価を認識評価値として取り込み、その取り込んだ認識評価値と、前記再生された想定評価値とを比較し、その比較結果によって、前記記憶手段からのコンテンツの再生を制御するコンテンツ呈示制御方法。
【発明の詳細な説明】
【０００１】
【発明の属する技術分野】
この発明は、放送または配信されたコンテンツを受信し再生する装置、および、このコンテンツ受信装置でコンテンツを受信し再生する場合のコンテンツ呈示制御方法に関する。
【０００２】
なお、この発明では、映像情報および音響情報の少なくとも一方をコンテンツと定義する。また、映像情報は、動画、静止画、グラフィックスなど、人が視覚上、認識できる全ての情報を含むものとし、音響情報は、楽曲、話声、自然音など、人が聴感上、認識できる全ての情報を含むものとする。
【０００３】
【従来の技術】
コンテンツのストーリー展開を視聴者（利用者）の指示や操作によって決定することは、ＤＶＤシステムやビデオゲームシステムなどで実施されている。
【０００４】
ＤＶＤシステムでは、視聴者があらかじめ設定したレベル値によって、呈示されるコンテンツから暴力的なシーンなどを取り除くことができるパレンタル・ロック機能や、コンサートやスポーツなどの映像で、視聴者が好きなアングルの映像を選択して見ることができるマルチアングル機能がある。
【０００５】
具体的に、パレンタル・ロック機能は、再生装置に設定された視聴者レベルに応じて、コンテンツとして、それぞれの視聴者レベルごとに用意されているシーンやショットのつながりを再生するものであり、マルチアングル機能は、複数のカメラアングルで記録された映像を視聴者が適宜切り替えて見ることができるものである。
【０００６】
ビデオゲームシステムでは、遊戯者の操作に応じて、ストーリー展開が決定され、ゲームが進行する。
【０００７】
また、映画やＴＶ（テレビジョン）番組、またはＤＶＤなどの記録媒体に記録されたコンテンツに対する視聴者（観客）の反応や評価を観察または調査する方法としては、従来、映画などについては、試写を行って、観客の笑いや驚きなどの表情や動作を観察し、またはアンケートによって、観客に感想や意見を聞く方法がとられており、ＴＶ番組などについては、視聴率調査機などによって、時間帯ごとの視聴率（受信占有率）を調査し、視聴者の好みなどを分析する方法がとられており、記録媒体に記録されたコンテンツについては、その売り上げを日時および販売地域ごとに調査し、集計する方法がとられている。
【０００８】
【発明が解決しようとする課題】
しかしながら、上述した従来のコンテンツ呈示制御方法では、視聴者の指示や操作によって、映像が選択され、コンテンツのストーリー展開が変えられるだけで、コンテンツ提供者（制作者）が意図した印象や評価を視聴者に与えることはできない。例えば、呈示されているコンテンツに対して視聴者が、コンテンツ提供者が期待したほどの興味や関心を示さない場合に、視聴者に、より興味や関心を持たせるようにコンテンツの呈示を制御することはできない。
【０００９】
そこで、この発明の目的は、コンテンツを受信し再生する装置において、コンテンツ提供者が意図した印象や評価を視聴者に与えることができるようにすることにある。
【００１４】
【課題を解決するための手段】
この発明のコンテンツ受信装置は、
映像情報および音響情報の少なくとも一方であるコンテンツ、および当該コンテンツにつき想定された評価値を受信する受信手段と、
その受信されたコンテンツおよび想定評価値を記憶する記憶手段と、
この記憶手段からコンテンツおよび想定評価値を再生する再生手段と、
その再生されたコンテンツに対する視聴者の反応が反応値として入力される反応値入力手段と、
その入力された反応値から、前記再生手段によって再生されたコンテンツに対する視聴者の評価を認識評価値として算出する認識評価値算出手段と、
その算出された認識評価値と、前記再生手段によって再生された想定評価値とを比較して、制御評価値を算出する制御評価値算出手段と、
その算出された制御評価値によって、前記再生手段による前記記憶手段からのコンテンツの再生を制御する制御手段と、
を備えることを特徴とする。
【００１５】
上記のコンテンツ受信装置では、反応値入力手段および認識評価値算出手段に代えて、再生手段によって再生されたコンテンツに対する視聴者の評価が認識評価値として入力される認識評価値入力手段を設け、制御評価値算出手段は、その入力された認識評価値と、再生手段によって再生された想定評価値とを比較して、制御評価値を算出する構成としてもよい。
【００１６】
上記の構成のコンテンツ受信装置では、コンテンツ提供者が意図した印象や評価を視聴者に与えることができる。
【００２８】
【発明の実施の形態】
〔コンテンツ呈示制御の実施形態：図１〜図９〕
第１の実施形態として、再生または受信されたコンテンツに対する視聴者の評価に応じてコンテンツの呈示を制御する場合を、以下に示す。
【００２９】
（コンテンツ再生装置の一例：図１）
図１は、第１の実施形態のコンテンツ再生装置としての光ディスク再生装置の一例を示す。
【００３０】
この例では、光ディスク１にコンテンツおよび想定評価値が記録されている。この場合のコンテンツは、映画などの映像情報および音響情報で、具体的には、映像データおよび音響データが、ＭＰＥＧ（Ｍｏｖｉｎｇ  Ｐｉｃｔｕｒｅ  Ｅｘｐｅｒｔｓ  Ｇｒｏｕｐ）方式によって圧縮符号化され、多重化されて、光ディスク１に記録されている。
【００３１】
想定評価値は、後述のように、コンテンツ提供者（制作者）が、視聴者が当該コンテンツを視聴したときの当該コンテンツに対する印象や評価を想定したものであり、その想定評価値データが、符号化され、この例では、映像データおよび音響データに多重化されて、光ディスク１に記録されている。
【００３２】
具体的には、ＭＰＥＧストリームのＧＯＰ（Ｇｒｏｕｐ  Ｏｆ  Ｐｉｃｔｕｒｅ）ごとに、またはＭＰＥＧストリームのピクチャごとに、想定評価値データが多重化される。いずれの場合でも、例えば、当該ＧＯＰや当該ピクチャの再生時刻管理情報を参照することによって、多重化されている想定評価値の時間軸を管理することができる。
【００３３】
想定評価値の時間軸を管理する他の方法として、想定評価値と、それについての開始時刻および終了時刻、または開始時刻および継続時間のような時間情報とを記述したデータを、この例のように映像データおよび音響データに多重化して伝送し、または後述の例のように映像データおよび音響データとは別に伝送する方法をとることができる。
【００３４】
一例として、開始時刻（１分２５秒）および継続時間（１３秒）で表記された３次元の想定評価値（注目度５０、美しさ４０、刺激度５）を有するシーン「ｆｌｏｗｅｒ」の記述データとして、図９に示すような記述データを用いることができ、この記述データを、映像データおよび音響データに多重化して伝送し、または映像データおよび音響データとは別に有線回線または無線回線によって伝送する。
【００３５】
さらに、光ディスク１には、デコード・タイムスタンプなどのデコード時刻情報、およびプレゼンテーション・タイムスタンプなどのコンテンツ呈示時刻情報（再生時刻情報）が記録されている。
【００３６】
＜再生装置の概要＞
光ディスク１は、ディスクモータ３によって駆動される。光ヘッド（ピックアップ）４は、送りモータとトラッキング用およびフォーカシング用のアクチュエータを含むドライブニユット５によって駆動される。
【００３７】
操作部６での視聴者の再生操作によって、システムコントローラ７は、ドライブユニット５に光ディスク１の再生を指示し、光ヘッド４によって、光ディスク１から信号が読み出される。その読み出された信号は、復調・エラー訂正部１１で復調され、エラー訂正された後、バッファ１２に書き込まれ、バッファ１２から読み出される。
【００３８】
バッファ１２から読み出された信号は、デマルチプレクサ１３に供給され、デマルチプレクサ１３から、それぞれ符号化された映像データ、音響データ、字幕データおよび想定評価値データが、分離されて得られる。
【００３９】
その映像データ、音響データ、字幕データおよび想定評価値データは、それぞれ、ビデオコードバッファ２１、オーディオコードバッファ３１、字幕コードバッファ４１および想定評価値コードバッファ５１に書き込まれ、ビデオコードバッファ２１、オーディオコードバッファ３１、字幕コードバッファ４１および想定評価値コードバッファ５１から読み出された後、それぞれ、ビデオデコーダ２２、オーディオデコーダ３２、字幕デコーダ４２および想定評価値デコーダ５２でデコードされる。
【００４０】
システムコントローラ７は、上記のデコード・タイムスタンプのようなタイミング情報に基づいて、各デコーダ２２，３２，４２，５２におけるデコードタイミングを制御し、上記のプレゼンテーション・タイムスタンプのようなタイミング情報に基づいて、各デコーダ２２，３２，４２，５２からのデータの時系列を整合させるように、各デコーダ２２，３２，４２，５２における出力タイミングを制御する。
【００４１】
ビデオデコーダ２２からの映像データ、および字幕デコーダ４２からの字幕データは、ビデオ処理部２３に供給され、ビデオ処理部２３において、後述のようにシステムコントローラ７からの特性制御信号によって映像特性が制御されるとともに、映像信号中に字幕信号がスーパーインポーズされる。
【００４２】
ビデオ処理部２３の出力の映像信号は、ビデオ出力端子２４に導出され、ビデオ出力端子２４から、ＣＲＴディスプレイや液晶ビデオプロジェクタなどの映像表示装置に送出される。
【００４３】
映像信号は、ビデオ処理部２３でアナログ映像信号に変換されることなくデジタル映像データのまま、Ｄ／Ａ（Ｄｉｇｉｔａｌ  ｔｏ  Ａｎａｌｏｇ）変換部を備える映像表示装置に送出され、またはビデオ処理部２３でアナログ映像信号に変換されて、映像表示装置に送出される。
【００４４】
オーディオデコーダ３２からの音響データは、オーディオ処理部３３に供給され、オーディオ処理部３３において、後述のようにシステムコントローラ７からの特性制御信号によって音響特性が制御される。
【００４５】
オーディオ処理部３３の出力の音響信号は、オーディオ出力端子３４に導出され、オーディオ出力端子３４から、スピーカやヘッドホンなどの音響出力装置に送出される。
【００４６】
音響信号も、オーディオ処理部３３でアナログ音響信号に変換されることなくデジタル音響データのまま、Ｄ／Ａ変換部を備える音響出力装置に送出され、またはオーディオ処理部３３でアナログ音響信号に変換されて、音響出力装置に送出される。
【００４７】
光ディスク１からコンテンツが再生されると、映像表示装置で表示された映像および音響出力装置から出力された音響を視聴した視聴者の反応が、反応値として反応値入力部６１から入力される。システムコントローラ７は、光ディスク１からのコンテンツの再生と同時に、反応値入力部６１によって視聴者の反応を測定する。
【００４８】
反応値入力部６１から入力された反応値は、反応値解析部６２で解析されて、反応値解析部６２で別の反応値が算出される。さらに、認識評価値算出部６３では、反応値入力部６１から入力された反応値、および反応値解析部６２で算出された反応値から、光ディスク１から再生されたコンテンツに対する視聴者の印象や評価を示す認識評価値が算出される。
【００４９】
さらに、制御評価値算出部５３では、光ディスク１から得られて想定評価値デコーダ５２でデコードされた想定評価値と、認識評価値算出部６３で算出された認識評価値とが比較され、その結果が評価されて、制御評価値が算出される。
【００５０】
システムコントローラ７は、この制御評価値算出部５３で算出された制御評価値から、コンテンツの再生特性を制御する制御信号、およびコンテンツのストーリー展開を変更する制御信号を生成し、前者の制御信号をビデオ処理部２３およびオーディオ処理部３３に送出して、映像および音響の再生特性を制御し、後者の制御信号をドライブニユット５に送出して、光ディスク１の再生場所や再生順序を変更する。
【００５１】
なお、図１では、反応値入力部６１、反応値解析部６２、認識評価値算出部６３、制御評価値算出部５３およびシステムコントローラ７を、機能的に分離して示しているが、反応値入力部６１の信号処理や、反応値解析部６２、認識評価値算出部６３および制御評価値算出部５３の機能は、システムコントローラ７の一部の機能として構成することができる。
【００５２】
＜想定評価値＞
光ディスク１に記録されている想定評価値は、視聴者がコンテンツを視聴したときのコンテンツに対する印象や評価を想定したものであり、呈示する映像の種類や明るさ、呈示する音響の種類やレベル（音の大きさ）、呈示するコンテンツのストーリー展開などを考慮して、コンテンツ提供者（制作者）が設定したものである。
【００５３】
呈示されるコンテンツには、多くの場合、物語性があり、呈示された視聴者の心理状態も、ストーリー展開によって変化するのが普通である。そのため、同じ映像や音響であっても、場面によって、それに対する感じ方や解釈など、印象や評価が異なることが予想される。したがって、想定評価値は、映像や音響の特性（映像の明るさや音響のレベルなどの物理的性質）のほかに、呈示されるコンテンツの物語性も考慮して、コンテンツのシーンやショットなど、コンテンツの区切りごとに設定される。当然、視聴者に注目してほしいシーンやショットは、興味や関心の程度を示す認識評価値が高くなるように映像音響的に工夫することになるので、そのシーンやショットの想定評価値も高く設定されることになる。
【００５４】
想定評価値は、多次元データとして表現することもできる。その場合には、各次元の想定評価値データの前に、その次元の意味を示す識別子を付加する。
【００５５】
＜反応値の測定および認識評価値の算出＞
反応値入力部６１は、各種のセンサと信号処理部によって構成され、信号処理部において、センサ出力の測定データにつき、微分、積分、相関演算などの演算処理が行われることによって、反応値が得られる。
【００５６】
ただし、反応値入力部６１としては、センサ部分とインタフェース部分のみを備え、システムコントローラ７でセンサ出力が処理されることによって、反応値が算出される構成としてもよい。
【００５７】
視聴者の反応を測定するセンサは、視聴者が座る座席の座面、背もたれ、肘掛などの部分、視聴者が装着するヘッドセットのイヤパッドやヘッドバンド、視聴者が操作するリモートコマンダなどに取り付けられる。
【００５８】
反応値としては、視聴者の反応として測定されたデータそのものと、反応値解析部６２で反応値入力部６１からの測定データを解析することによって得られるデータとがある。
【００５９】
具体的に、視聴者の反応として測定する項目は、心電図、呼吸数、呼吸周期、筋電図、脳血流量、脳波、発汗量、皮膚温度、瞳孔径、開眼度、瞬き、表情、手足の血流量、耳たぶの血流量、手足の温度などである。
【００６０】
また、映画やゲーム、後述の放送受信装置の場合の視聴者参加型ドラマなどでは、反応値として、視聴者の能動的行動の観測によって得られた値、例えば、視聴者が発生した音声のピッチ周波数やその変動、声の大きさやその変動、操作レバーを動かすときの動きの滑らかさや力の大きさなどを用いることができる。
【００６１】
反応値解析部６２で、これらの測定データを解析することによって得られるデータは、例えば、瞬きの時点を示すデータから算出される、瞬きの無い時間の間隔を示すデータや、開眼度と瞬きの無い時間の変動、口の表情などから算出される、笑いの区間を示すデータなどである。
【００６２】
さらに、反応値解析部６２では、開眼度、瞳孔径の変化や筋電図（手足の筋肉の緊張度）から、驚きの区間を示すデータを算出することができ、発汗量、心拍数およびその上昇度、瞳孔径の変化、手足の血流量の変化、手足の温度の変化などから、緊張の区間を示すデータを算出することができる。
【００６３】
複数の測定データから新たな反応値を算出する方法としては、各測定データを線形結合する方法などを用いることができる。
【００６４】
認識評価値算出部６３では、反応値入力部６１から入力された反応値、および反応値解析部６２で算出された反応値から、コンテンツに対する視聴者の印象や評価が認識評価値として算出される。
【００６５】
具体的な認識評価値としては、興味や関心の程度を示す評価値、印象の強さを示す評価値、好ましさの程度を示す評価値、恐怖の程度を示す評価値などが算出される。
【００６６】
興味や関心の程度を示す認識評価値は、開眼度、瞬き度、心拍数などの関数として算出される。印象の強さを示す認識評価値は、開眼度、心拍数、発汗量などの関数として算出される。好ましさの程度を示す認識評価値は、心拍数の安定性や発汗量の安定性、手足の温度、手足の血流量などから算出される。恐怖の程度を示す認識評価値は、驚き度や緊張度などから算出される。
【００６７】
なお、ここでの認識評価値は、認識の意味を考えて定義され、算出されるものであって、それぞれが独立であるとは限らない。
【００６８】
想定評価値と同様に、認識評価値は、多次元データとして表現することもできる。その場合には、各次元の意味を示す識別子を付加して、認識評価値データとする。この場合、制御評価値算出部５３での、多次元データとして表現された想定評価値と、同じく多次元データとして表現された認識評価値との比較は、例えば、多次元ベクトルの方向および大きさを比較することによって行う。
【００６９】
反応値や認識評価値は、時々刻々と測定または算出することもできるが、呈示されたコンテンツのシーンやショットなど、コンテンツの区切りごとに測定または算出してもよい。この場合、シーンやショットなどの区間を示す情報は、コンテンツとともに光ディスク１に記録されているものでもよいが、再生された映像や音響の特徴から、システムコントローラ７がシーンやショットなどの区間を検出する構成とすることもできる。
【００７０】
＜制御評価値の算出とコンテンツの呈示制御＞
各種の反応値、またはこれから算出された認識評価値を見れば、呈示されたコンテンツに対する視聴者の心理状態が分かる。また、あらかじめコンテンツ提供者によって設定された想定評価値と、各種の反応値から算出された認識評価値とを比較することによって、視聴者がコンテンツ提供者が期待した通りの心理状態にあるか否かが分かる。
【００７１】
第１の実施形態では、さらに、この想定評価値と認識評価値の比較結果を、コンテンツの呈示制御に積極的に利用するものである。
【００７２】
具体的に、想定評価値と認識評価値を比較した結果、例えば、視聴者が予想より怖がっていないと判断される場合には、以降のシーンやショットでの映像の明るさや音響のレベルなどの映像音響特性を変え、または以降のストーリー展開を変える。
【００７３】
また、例えば、視聴者が予想より楽しんでいない、予想より興味を示していない、予想よりそのシーンに集中していない、と判断される場合には、以降のストーリー展開を変える。
【００７４】
ストーリー展開の変え方としては、一つには、後の展開を暗示するようなシーン、または以前のシーンから予想できるようなシーンを挿入することによって、ストーリー展開を予想できるようにする。これによって、視聴者のストーリーへの注目度を高めることができる。あるいは逆に、ストーリー展開を暗示するシーン内容を変え、または削除することによって、ストーリー展開を容易に予想できないようにし、ストーリー展開に飽きないようにする。
【００７５】
ストーリーやシーンまたはショットを変更する場合には、視聴者が示した過去の反応値または認識評価値の履歴を参考にすることができる。その履歴は、そのとき呈示されているコンテンツに対する、それまでの反応値または認識評価値を記憶しておいたものでも、視聴者が過去に視聴した別のコンテンツに対する反応値または認識評価値を記憶しておいたものでもよい。
【００７６】
具体的に、図１の例では、光ディスク１からコンテンツが読み出され、映像表示装置および音響出力装置に出力できるようにデコードされると同時に、光ディスク１からシーンまたはショットごとの想定評価値が読み出される。
【００７７】
光ディスク１から読み出された想定評価値は、コンテンツ呈示時刻情報と関連づけられたものである。したがって、システムコントローラ７は、例えば、「呈示時刻０１：２５：３０から呈示時刻０１：２６：２０までは、識別子の示す意味において想定評価値は４０である」というように、シーンまたはショットごとの想定評価値を認識することができる。
【００７８】
一方、コンテンツがデコードされ、再生されると同時に、視聴者の反応が反応値として測定され、再生されたコンテンツに対する視聴者の印象や評価を示す認識評価値が算出されて、その認識評価値が、光ディスク１から読み出された想定評価値と比較される。
【００７９】
そして、システムコントローラ７は、想定評価値と認識評価値の比較結果から、評価対象のシーンまたはショットでの想定評価値と認識評価値の差が、あらかじめ設定された許容範囲内であるか否かを判断するとともに、過去のシーンまたはショットでの想定評価値と認識評価値の差との関係で、想定評価値と認識評価値の差が広がっているか、縮まっているか、認識評価値は増加傾向であるのが好ましいのか、減少傾向であるのが好ましいのか、認識評価値として極大値や極小値をとるのが好ましいのかなど、想定評価値と認識評価値の差および認識評価値の変化の傾向を判断する。
【００８０】
例えば、想定評価値と認識評価値の差が許容範囲内であっても、それが大きくなっているときには、視聴者の反応（評価）が予想した方向と異なる方向になっていると判断する。
【００８１】
システムコントローラ７は、このような判断結果に基づいて、コンテンツの再生特性を制御し、コンテンツのストーリー展開を変更する。
【００８２】
コンテンツの再生特性は、映像については、輝度、コントラスト、彩度、色合い（色相）などであり、音響については、周波数特性やレベルなどである。
【００８３】
ストーリー展開の変更は、例えば、あるシーンを呈示するとき、複数のシーンの中から一つを選択して呈示し、またはシーンを構成する一部のショットを入れ替えて呈示する、などの方法によって行う。
【００８４】
ストーリー展開を変更するために、シーンまたはショットの入れ替えを随時、行うように構成することもできるが、所定の場面に限ってシーンまたはショットの入れ替えを許可するように構成することもできる。
【００８５】
選択可能な複数のシーンには、コンテンツに対する視聴者の感じ方の流れを制御するために、「起承転結」など、認識評価の意味付けや方向付けに関する指標を、あらかじめ付けておき、システムコントローラ７が、その指標と、想定評価値と認識評価値の比較結果とから、呈示するシーンを選択するように、光ディスク再生装置を構成する。
【００８６】
ショットの入れ替えについても、同様に、ショットについての指標を付けておき、その指標と、想定評価値と認識評価値の比較結果とから、シーンを構成するショットが選択されるように、光ディスク再生装置を構成する。
【００８７】
＜効果＞
以上の例によれば、視聴者に感じてほしい、興味や関心を持ってほしい、というような、コンテンツ提供者が期待した印象や評価を、視聴者に与えることができる。また、想定評価値と認識評価値の差および認識評価値の変化の傾向から、視聴者が興味や関心を示す事項を推測して、コンテンツの再生特性やストーリー展開を、視聴者が興味や関心を示す方向に変化させることもできる。
【００８８】
（コンテンツ再生装置の他の例：図２〜図４）
図１の例は、反応値入力部６１からの反応値から認識評価値算出部６３で認識評価値を算出する場合であるが、視聴者が各項目についての認識評価値を直接入力する構成とすることもできる。
【００８９】
図２は、この場合の例を示し、図１の例の反応値入力部６１、反応値解析部６２および認識評価値算出部６３に代えて、認識評価値入力部６４を設ける。
【００９０】
認識評価値入力部６４は、例えば、興味や関心の程度は「−２」、好ましさの程度は「＋３」というように、視聴者が各項目についての認識評価値を数値で入力する構成とし、または、認識評価値の各項目ごとにレバーを設け、視聴者が各レバーをプラス方向またはマイナス方向にスライドさせる構成とする。
【００９１】
あるいは、認識評価値入力部６４を、マイクロホンと音声認識機能を有する信号処理部とからなるものとして、「全く興味がない」「非常に好ましい」などというように、視聴者が各項目についての認識評価値を音声で入力する構成とすることもできる。
【００９２】
この例によっても、コンテンツ提供者が意図した印象や評価を視聴者に与えることができるとともに、視聴者が興味や関心を示す事項を推測して、コンテンツの再生特性やストーリー展開を、視聴者が興味や関心を示す方向に変化させることもできる。
【００９３】
図１および図２の例は、光ディスク１にコンテンツおよび想定評価値が記録されている場合であるが、想定評価値はコンテンツとは別に、送信元から受信するようにしてもよい。
【００９４】
図３は、この場合の一例を示す。光ディスク１は、想定評価値が記録されていない点を除いて、図１および図２の例と同じである。
【００９５】
ただし、送信元から受信する想定評価値が光ディスク１に記録されているコンテンツと対をなすものであるか否かを照合するために、光ディスク１にはコンテンツ識別情報が記録されており、コンテンツ再生開始時点で、このコンテンツ識別情報が、光ディスク１から読み出されてシステムコントローラ７に取り込まれる。
【００９６】
光ディスク再生装置には、インターネットなどの通信ネットワーク９に接続される通信装置部５４が設けられ、コンテンツ識別情報を受信したシステムコントローラ７は、通信装置部５４に対して、そのコンテンツ識別情報に対応した想定評価値データを要求する信号を送信元に送ることを指示する。
【００９７】
この指示を受けて、通信装置部５４は、送信元との間の通信回線を確保して、送信元にコンテンツ識別情報に対応した想定評価値データを要求する。通信回線を確保できなかった場合には、通信装置部５４はシステムコントローラ７にエラーを通知する。送信元との間の通信の結果、送信元が指定された想定評価値データを送信できないことが分かった場合にも、通信装置部５４はシステムコントローラ７にエラーを通知する。
【００９８】
送信元から送信され、通信装置部５４で受信された想定評価値データは、想定評価値コードバッファ５１に書き込まれ、想定評価値コードバッファ５１から読み出された後、想定評価値デコーダ５２でデコードされる。
【００９９】
反応値入力部６１による反応値の測定、反応値解析部６２での反応値の算出、認識評価値算出部６３での認識評価値の算出、制御評価値算出部５３での制御評価値の算出、および、その制御評価値によるコンテンツ呈示制御（コンテンツの再生特性の制御およびストーリー展開の変更）については、図１の例と同じである。
【０１００】
なお、一度受信した想定評価値データを保存しておけば、次に同じコンテンツを再生するとき、想定評価値データを再度受信する必要がないので、システムコントローラ７は、必要に応じて、受信した想定評価値データを、コンテンツ識別情報と対応づけて、再生装置内の記憶装置部、または再生装置に装着または接続される外部の記憶装置に保存するように、再生装置を構成することもできる。
【０１０１】
この例においても、視聴者が各項目についての認識評価値を直接入力する構成とすることができる。
【０１０２】
図４は、この場合の例を示し、図３の例の反応値入力部６１、反応値解析部６２および認識評価値算出部６３に代えて、認識評価値入力部６４を設ける。認識評価値入力部６４の具体的構成は、図２の例と同じである。
【０１０３】
（コンテンツ受信装置の一例（放送受信装置）：図５および図６）
第１の実施形態のコンテンツ受信装置は、一例として、ＢＳデジタル放送などのデジタルＴＶ放送を受信する装置として構成することができる。
【０１０４】
デジタルＴＶ放送では、コンテンツ識別情報として、番組ＩＤ（識別子）や番組名などが放送されるとともに、番組やシーンまたはショットに挿入して、その映像特性や音響特性などを記述した情報、いわゆるメタデータを放送することができる。
【０１０５】
図５は、放送受信装置の一例を示す。この例では、デジタルＴＶ放送として、コンテンツ（番組の映像データおよび音響データ）に多重化されて、想定評価値データが放送されるとともに、放送受信装置でコンテンツのストーリー展開を変更できるように、放送受信装置で選択可能な複数のシーンまたはショットが放送されるものとする。
【０１０６】
受信選局部７１では、操作部６での選局操作に基づくシステムコントローラ７の選局制御によって、想定評価値データを含む放送信号が受信選局される。その受信選局された信号は、復調・エラー訂正部７２で復調され、エラー訂正された後、記憶装置部７３に書き込まれ、記憶装置部７３から読み出される。記憶装置部７３は、バッファとしても機能するが、コンテンツのストーリー展開の変更用にシーンまたはショットを選択するためのものである。
【０１０７】
記憶装置部７３から読み出された信号は、デマルチプレクサ１３に供給され、デマルチプレクサ１３から、それぞれ符号化された映像データ、音響データ、字幕データおよび想定評価値データが、分離されて得られる。その他は、図１の例の光ディスク再生装置と同じである。
【０１０８】
そして、この放送受信装置では、制御評価値に基づくシステムコントローラ７の制御により、記憶装置部７３から読み出されるシーンまたはショットが選択されることによって、コンテンツのストーリー展開が変えられる。
【０１０９】
なお、反応値や認識評価値を、コンテンツ（番組）のシーンまたはショットごとに測定または算出する場合、シーンまたはショットの区間を示す情報は、コンテンツとともに放送されるものでもよいが、再生された映像や音響の特徴から、システムコントローラ７がシーンまたはショットの区間を検出する構成とすることもできる。
【０１１０】
放送受信装置についても、視聴者が各項目についての認識評価値を直接入力する構成とすることができる。
【０１１１】
図６は、この場合の例を示し、図５の例の反応値入力部６１、反応値解析部６２および認識評価値算出部６３に代えて、認識評価値入力部６４を設ける。認識評価値入力部６４の具体的構成は、図２の例の光ディスク再生装置と同じである。
【０１１２】
（コンテンツ受信装置の他の例：図７および図８）
第１の実施形態のコンテンツ受信装置は、別の例として、コンテンツ送信要求によって送信元から送信されたコンテンツおよび想定評価値を受信する装置として構成することもできる。
【０１１３】
図７は、この場合のコンテンツ受信装置の一例を示す。このコンテンツ受信装置では、送信装置部８５によって、インターネットなどの通信ネットワーク９を介して送信元に、コンテンツおよび想定評価値データの送信を要求し、受信装置部８１によって、通信ネットワーク９を介して送信元から、コンテンツおよび想定評価値データを受信する。
【０１１４】
操作部６での操作に基づいて、システムコントローラ７は、送信装置部８５に対して、コンテンツ識別情報を送って、それに対応したコンテンツおよび想定評価値データを要求する信号を送信元に送ることを指示する。
【０１１５】
この指示を受けて、送信装置部８５は、送信元との間の通信回線を確保して、送信元にコンテンツ識別情報に対応したコンテンツおよび想定評価値データを要求する。通信回線を確保できなかった場合には、送信装置部８５はシステムコントローラ７にエラーを通知する。送信元との間の通信の結果、送信元が指定されたコンテンツおよび想定評価値データを送信できないことが分かった場合にも、送信装置部８５はシステムコントローラ７にエラーを通知する。
【０１１６】
送信元から送信され、受信装置部８１で受信されたコンテンツおよび想定評価値データは、復調・エラー訂正部８２で復調され、エラー訂正された後、記憶装置部８３に書き込まれ、記憶装置部８３から読み出される。
【０１１７】
コンテンツ受信装置でコンテンツのストーリー展開を変更できるように、送信元は、コンテンツ受信装置で選択可能な複数のシーンまたはショットを送信するものとする。記憶装置部８３は、バッファとしても機能するが、コンテンツのストーリー展開の変更用にシーンまたはショットを選択するためのものである。
【０１１８】
記憶装置部８３から読み出された信号は、デマルチプレクサ１３に供給され、デマルチプレクサ１３から、それぞれ符号化された映像データ、音響データ、字幕データおよび想定評価値データが、分離されて得られる。その他は、図５の例の放送受信装置と同じである。
【０１１９】
そして、このコンテンツ受信装置では、制御評価値に基づくシステムコントローラ７の制御により、記憶装置部８３から読み出されるシーンまたはショットが選択されることによって、コンテンツのストーリー展開が変えられる。
【０１２０】
コンテンツおよび想定評価値の情報量が多い場合には、視聴の進行に応じて送信元からコンテンツおよび想定評価値が送信されるように、システムを構成することもでき、その場合には、コンテンツの進行を示すタイムスタンプやアドレス情報によって、コンテンツおよび想定評価値の送信の中断および再開が制御されるように、システムを構成する。
【０１２１】
なお、一度受信したコンテンツおよび想定評価値データを保存しておけば、同じコンテンツおよび想定評価値データを再度受信する必要がないので、システムコントローラ７は、必要に応じて、受信したコンテンツおよび想定評価値データを、コンテンツ識別情報と対応づけて、受信装置内の記憶装置部、または受信装置に装着または接続される外部の記憶装置に保存するように、受信装置を構成することもできる。
【０１２２】
この場合のコンテンツ受信装置についても、視聴者が各項目についての認識評価値を直接入力する構成とすることができる。
【０１２３】
図８は、この場合の例を示し、図７の例の反応値入力部６１、反応値解析部６２および認識評価値算出部６３に代えて、認識評価値入力部６４を設ける。認識評価値入力部６４の具体的構成は、図２の例の光ディスク再生装置と同じである。
【０１２４】
（コンテンツ呈示制御の他の例）
上述したコンテンツ呈示制御に係る発明は、光ディスク以外の記録媒体からコンテンツを再生する装置、あるいは、コンテンツが映像情報のみからなる場合、または音響情報のみからなる場合にも、適用することができる。
【０１２５】
〔コンテンツ評価収集解析の実施形態：図１０〜図１９〕
第２の実施形態として、再生または受信されたコンテンツに対する視聴者の評価を収集し、解析する場合を、以下に示す。
【０１２６】
（コンテンツ再生装置の一例：図１０および図１１）
図１０は、第２の実施形態のコンテンツ再生装置としての光ディスク再生装置の一例を示す。
【０１２７】
光ディスク１には、コンテンツが記録されている。この場合のコンテンツは、映画などの映像情報および音響情報で、具体的には、映像データおよび音響データが、ＭＰＥＧ方式によって圧縮符号化され、多重化されて、光ディスク１に記録されている。
【０１２８】
さらに、光ディスク１には、デコード・タイムスタンプなどのデコード時刻情報、およびプレゼンテーション・タイムスタンプなどのコンテンツ呈示時刻情報（再生時刻情報）が記録されている。
【０１２９】
＜再生装置の概要＞
光ディスク１は、ディスクモータ３によって駆動される。光ヘッド（ピックアップ）４は、送りモータとトラッキング用およびフォーカシング用のアクチュエータを含むドライブニユット５によって駆動される。
【０１３０】
操作部６での視聴者の再生操作によって、システムコントローラ７は、ドライブユニット５に光ディスク１の再生を指示し、光ヘッド４によって、光ディスク１から信号が読み出される。その読み出された信号は、復調・エラー訂正部１１で復調され、エラー訂正された後、バッファ１２に書き込まれ、バッファ１２から読み出される。
【０１３１】
バッファ１２から読み出された信号は、デマルチプレクサ１３に供給され、デマルチプレクサ１３から、それぞれ符号化された映像データ、音響データおよび字幕データが、分離されて得られる。
【０１３２】
その映像データ、音響データおよび字幕データは、それぞれ、ビデオコードバッファ２１、オーディオコードバッファ３１および字幕コードバッファ４１に書き込まれ、ビデオコードバッファ２１、オーディオコードバッファ３１および字幕コードバッファ４１から読み出された後、それぞれ、ビデオデコーダ２２、オーディオデコーダ３２および字幕デコーダ４２でデコードされる。
【０１３３】
システムコントローラ７は、上記のデコード・タイムスタンプのようなタイミング情報に基づいて、各デコーダ２２，３２，４２におけるデコードタイミングを制御し、上記のプレゼンテーション・タイムスタンプのようなタイミング情報に基づいて、各デコーダ２２，３２，４２からのデータの時系列を整合させるように、各デコーダ２２，３２，４２における出力タイミングを制御する。
【０１３４】
ビデオデコーダ２２からの映像データ、および字幕デコーダ４２からの字幕データは、ビデオ処理部２３に供給され、ビデオ処理部２３において、映像信号中に字幕信号がスーパーインポーズされる。
【０１３５】
ビデオ処理部２３の出力の映像信号は、ビデオ出力端子２４に導出され、ビデオ出力端子２４から、ＣＲＴディスプレイや液晶ビデオプロジェクタなどの映像表示装置に送出される。
【０１３６】
映像信号は、ビデオ処理部２３でアナログ映像信号に変換されることなくデジタル映像データのまま、Ｄ／Ａ変換部を備える映像表示装置に送出され、またはビデオ処理部２３でアナログ映像信号に変換されて、映像表示装置に送出される。
【０１３７】
オーディオデコーダ３２からの音響データは、オーディオ処理部３３で処理され、オーディオ処理部３３の出力の音響信号は、オーディオ出力端子３４に導出され、オーディオ出力端子３４から、スピーカやヘッドホンなどの音響出力装置に送出される。
【０１３８】
音響信号も、オーディオ処理部３３でアナログ音響信号に変換されることなくデジタル音響データのまま、Ｄ／Ａ変換部を備える音響出力装置に送出され、またはオーディオ処理部３３でアナログ音響信号に変換されて、音響出力装置に送出される。
【０１３９】
光ディスク１からコンテンツが再生されると、映像表示装置で表示された映像および音響出力装置から出力された音響を視聴した視聴者の反応が、反応値として反応値入力部６１から入力される。システムコントローラ７は、光ディスク１からのコンテンツの再生と同時に、反応値入力部６１によって視聴者の反応を測定する。
【０１４０】
反応値入力部６１から入力された反応値は、反応値解析部６２で解析されて、反応値解析部６２で別の反応値が算出される。さらに、認識評価値算出部６３では、反応値入力部６１から入力された反応値、および反応値解析部６２で算出された反応値から、光ディスク１から再生されたコンテンツに対する視聴者の印象や評価を示す認識評価値が算出される。
【０１４１】
算出された認識評価値の情報は、コンテンツ呈示時刻情報と関連づけられたものであり、多重化部６５において、システムコントローラ７からの後述のコンテンツ識別情報、送信元識別情報および視聴者情報と多重化され、その多重化後のデータが、バッファ６６に書き込まれ、バッファ６６から読み出された後、通信装置部６７によって、インターネットなどの通信ネットワーク９を介して集計センターに送信される。
【０１４２】
なお、図１０では、反応値入力部６１、反応値解析部６２、認識評価値算出部６３、多重化部６５およびシステムコントローラ７を、機能的に分離して示しているが、反応値入力部６１の信号処理や、反応値解析部６２、認識評価値算出部６３および多重化部６５の機能は、システムコントローラ７の一部の機能として構成することもできる。
【０１４３】
＜反応値の測定および認識評価値の算出＞
反応値入力部６１は、各種のセンサと信号処理部によって構成され、信号処理部において、センサ出力の測定データにつき、微分、積分、相関演算などの演算処理が行われることによって、反応値が得られる。
【０１４４】
ただし、反応値入力部６１としては、センサ部分とインタフェース部分のみを備え、システムコントローラ７でセンサ出力が処理されることによって、反応値が算出される構成としてもよい。
【０１４５】
視聴者の反応を測定するセンサは、視聴者が座る座席の座面、背もたれ、肘掛などの部分、視聴者が装着するヘッドセットのイヤパッドやヘッドバンド、視聴者が操作するリモートコマンダなどに取り付けられる。
【０１４６】
反応値としては、視聴者の反応として測定されたデータそのものと、反応値解析部６２で反応値入力部６１からの測定データを解析することによって得られるデータとがある。
【０１４７】
具体的に、視聴者の反応として測定する項目は、心電図、呼吸数、呼吸周期、筋電図、脳血流量、脳波、発汗量、皮膚温度、瞳孔径、開眼度、瞬き、表情、手足の血流量、耳たぶの血流量、手足の温度などである。
【０１４８】
また、映画やゲーム、後述の放送受信装置の場合の視聴者参加型ドラマなどでは、反応値として、視聴者の能動的行動の観測によって得られた値、例えば、視聴者が発生した音声のピッチ周波数やその変動、声の大きさやその変動、操作レバーを動かすときの動きの滑らかさや力の大きさなどを用いることができる。
【０１４９】
反応値解析部６２で、これらの測定データを解析することによって得られるデータは、例えば、瞬きの時点を示すデータから算出される、瞬きの無い時間の間隔を示すデータや、開眼度と瞬きの無い時間の変動、口の表情などから算出される、笑いの区間を示すデータなどである。
【０１５０】
さらに、反応値解析部６２では、開眼度、瞳孔径の変化や筋電図（手足の筋肉の緊張度）から、驚きの区間を示すデータを算出することができ、発汗量、心拍数およびその上昇度、瞳孔径の変化、手足の血流量の変化、手足の温度の変化などから、緊張の区間を示すデータを算出することができる。
【０１５１】
複数の測定データから新たな反応値を算出する方法としては、各測定データを線形結合する方法などを用いることができる。
【０１５２】
認識評価値算出部６３では、反応値入力部６１から入力された反応値、および反応値解析部６２で算出された反応値から、コンテンツに対する視聴者の印象や評価が認識評価値として算出される。
【０１５３】
具体的な認識評価値としては、興味や関心の程度を示す評価値、印象の強さを示す評価値、好ましさの程度を示す評価値、恐怖の程度を示す評価値などが算出される。
【０１５４】
興味や関心の程度を示す認識評価値は、開眼度、瞬き度、心拍数などの関数として算出される。印象の強さを示す認識評価値は、開眼度、心拍数、発汗量などの関数として算出される。好ましさの程度を示す認識評価値は、心拍数の安定性や発汗量の安定性、手足の温度、手足の血流量などから算出される。恐怖の程度を示す認識評価値は、驚き度や緊張度などから算出される。
【０１５５】
なお、ここでの認識評価値は、認識の意味を考えて定義され、算出されるものであって、それぞれが独立であるとは限らない。
【０１５６】
認識評価値は、多次元データとして表現することもできる。その場合には、各次元の意味を示す識別子を付加して、認識評価値データとする。
【０１５７】
反応値や認識評価値は、時々刻々と測定または算出することもできるが、再生されたコンテンツのシーンやショットなど、コンテンツの区切りごとに測定または算出してもよい。この場合、シーンやショットなどの区間を示す情報は、コンテンツとともに光ディスク１に記録されているものでもよいが、再生された映像や音響の特徴から、システムコントローラ７がシーンやショットなどの区間を検出する構成とすることもできる。
【０１５８】
＜データの送信＞
認識評価値算出部６３で算出された認識評価値は、コンテンツ呈示時刻情報と関連づけられたものであり、後述のように集計センターで受信したとき、コンテンツのどの部分についてのものであるかが分かるものである。
【０１５９】
コンテンツ識別情報は、コンテンツを特定する情報で、コンテンツそれ自体に付加されたものに限らず、例えば、光ディスク１に一つのコンテンツしか記録されてなく、かつディスク識別情報（ディスクを特定する情報）が記録されている場合には、そのディスク識別情報をコンテンツ識別情報とすることができる。また、光ディスク１に一つのコンテンツしか記録されてなく、かつディスク識別情報が記録されていない場合には、ディスクに含まれるチャプタ数と上演時間とを組合せるなど、ディスクのヘッダ情報を所定の規則で組合せて、ディスク識別情報とし、コンテンツ識別情報とすることができる。
【０１６０】
送信元識別情報は、端末装置、この例ではコンテンツ再生装置としての光ディスク再生装置を特定する情報、または視聴者を特定する情報である。
【０１６１】
端末装置を特定する情報は、あらかじめ端末装置の製造者などによってシステムコントローラ７に設定される。視聴者を特定する情報は、あらかじめ操作部６での入力操作によってシステムコントローラ７に設定され、または、これが書き込まれたメモリカードのような外部記憶媒体が端末装置に装着されることによってシステムコントローラ７に設定される。
【０１６２】
視聴者情報は、具体的には、視聴者の年齢、性別、居住地域、趣味など、視聴者の属性を示す情報や、視聴者が過去に視聴したコンテンツの履歴を示す情報などである。視聴者情報は、あらかじめ操作部６での入力操作によってシステムコントローラ７に設定され、または、これが書き込まれたメモリカードのような外部記憶媒体が端末装置に装着されることによってシステムコントローラ７に設定される。
【０１６３】
視聴者情報は、必ずしも送信される必要はないが、これが送信される場合には、後述のように、集計センターにおいて、同じコンテンツに対する視聴者の評価が、視聴者の属性ごとに、どのように相違するかなど、視聴者の属性を考慮した解析を行うことができる。
【０１６４】
コンテンツ呈示時刻情報が付加された認識評価値情報、コンテンツ識別情報、送信元識別情報および視聴者情報は、コンテンツ呈示時刻情報が付加された認識評価値情報をデータ部とし、送信元識別情報、視聴者情報およびコンテンツ識別情報をヘッダ部として、多重化部６５で多重化されて、通信装置部６７によって集計センターに送信される。
【０１６５】
認識評価値情報は、５秒、３０秒などというような所定時間間隔で、その都度送信され、またはコンテンツの再生が全て終了した時点で、まとめて送信される。いずれの場合にも、上記の各情報は、バッファ６６に一時記憶された後、通信装置部６７によって集計センターに送信される。
【０１６６】
映画などのように長時間のコンテンツは、視聴者が何回かに分けて視聴することも考えられる。このようにコンテンツの途中で再生を一時停止した場合には、システムコントローラ７が、その停止した箇所を特定する情報や、その箇所での認識評価値およびコンテンツ呈示時刻情報を保持して、同じコンテンツについての次回のコンテンツ再生およびデータ送信の用に供するように、光ディスク再生装置を構成する。
【０１６７】
＜認識評価値を直接入力する場合：図１１＞
図１０の例は、反応値入力部６１からの反応値から認識評価値算出部６３で認識評価値を算出する場合であるが、視聴者が各項目についての認識評価値を直接入力する構成とすることもできる。
【０１６８】
図１１は、この場合の例を示し、図１０の例の反応値入力部６１、反応値解析部６２および認識評価値算出部６３に代えて、認識評価値入力部６４を設ける。
【０１６９】
認識評価値入力部６４は、例えば、興味や関心の程度は「−２」、好ましさの程度は「＋３」というように、視聴者が各項目についての認識評価値を数値で入力する構成とし、または、認識評価値の各項目ごとにレバーを設け、視聴者が各レバーをプラス方向またはマイナス方向にスライドさせる構成とする。
【０１７０】
あるいは、認識評価値入力部６４を、マイクロホンと音声認識機能を有する信号処理部とからなるものとして、「全く興味がない」「非常に好ましい」などというように、視聴者が各項目についての認識評価値を音声で入力する構成とすることもできる。
【０１７１】
（コンテンツ再生装置の他の例：図１２）
図１２は、第２の実施形態のコンテンツ再生装置としての光ディスク再生装置の他の例を示す。
【０１７２】
この例では、光ディスク１には、コンテンツとともに、これについての想定評価値が記録されている。想定評価値は、視聴者がコンテンツを視聴したときのコンテンツに対する印象や評価を想定したものであり、呈示する映像の種類や明るさ、呈示する音響の種類やレベル（音の大きさ）、呈示するコンテンツのストーリー展開などを考慮して、コンテンツ提供者（制作者）が設定したものである。
【０１７３】
呈示されるコンテンツには、多くの場合、物語性があり、呈示された視聴者の心理状態も、ストーリー展開によって変化するのが普通である。そのため、同じ映像や音響であっても、場面によって、それに対する感じ方や解釈など、印象や評価が異なることが予想される。したがって、想定評価値は、映像や音響の特性（映像の明るさや音響のレベルなどの物理的性質）のほかに、呈示されるコンテンツの物語性も考慮して、コンテンツのシーンやショットなど、コンテンツの区切りごとに設定される。当然、視聴者に注目してほしいシーンやショットは、興味や関心の程度を示す認識評価値が高くなるように映像音響的に工夫することになるので、そのシーンやショットの想定評価値も高く設定されることになる。
【０１７４】
上述した各種の反応値から算出された認識評価値と、その時間経過を見れば、呈示されたコンテンツに対する視聴者の心理状態が分かる。また、あらかじめコンテンツ提供者によって上記のように設定された想定評価値と、各種の反応値から算出された認識評価値とを比較することによって、視聴者がコンテンツ提供者が期待した通りの心理状態にあるか否かが分かる。さらに、この想定評価値と認識評価値の比較結果を、コンテンツの呈示制御に積極的に利用することもできる。
【０１７５】
図１２は、その場合の例を示す。想定評価値データは、符号化され、この例では、映像データおよび音響データに多重化されて、光ディスク１に記録されている。想定評価値の時間軸管理および多重化の具体的な方法は、コンテンツ呈示制御に係る第１の実施形態と同じである。
【０１７６】
＜再生装置の概要＞
光ディスク１からコンテンツが再生されると同時に、光ディスク１から想定評価値データが読み出される。読み出された想定評価値データは、デマルチプレクサ１３で分離されて、想定評価値コードバッファ５１に書き込まれ、想定評価値コードバッファ５１から読み出された後、想定評価値デコーダ５２でデコードされる。
【０１７７】
一方、コンテンツが再生されると同時に、図１０の例と同様に、反応値入力部６１で、視聴者の反応が反応値として測定され、認識評価値算出部６３で、再生されたコンテンツに対する視聴者の印象や評価を示す認識評価値が算出される。
【０１７８】
さらに、この例では、システムコントローラ７で、想定評価値デコーダ５２でデコードされた想定評価値と、認識評価値算出部６３で算出された認識評価値とが比較され、その結果が評価される。
【０１７９】
認識評価値と同様に、想定評価値は、多次元データとして表現することもできる。その場合には、各次元の想定評価値データの前に、その次元の意味を示す識別子が付加される。このように想定評価値および認識評価値が多次元データとして表現される場合には、システムコントローラ７での想定評価値と認識評価値の比較は、例えば、多次元ベクトルの方向および大きさを比較することによって行う。
【０１８０】
光ディスク１から読み出された想定評価値も、コンテンツ呈示時刻情報と関連づけられたものである。したがって、システムコントローラ７は、例えば、「呈示時刻０１：２５：３０から呈示時刻０１：２６：２０までは、識別子の示す意味において想定評価値は４０である」というように、シーンまたはショットごとの想定評価値を認識することができる。
【０１８１】
＜コンテンツの呈示制御＞
システムコントローラ７は、想定評価値と認識評価値の比較結果から、コンテンツの再生特性を制御する制御信号、およびコンテンツのストーリー展開を変更する制御信号を生成し、前者の制御信号をビデオ処理部２３およびオーディオ処理部３３に送出して、映像および音響の再生特性を制御し、後者の制御信号をドライブニユット５に送出して、光ディスク１の再生場所や再生順序を変更する。
【０１８２】
具体的に、システムコントローラ７は、評価対象のシーンまたはショットでの想定評価値と認識評価値の差が、あらかじめ設定された許容範囲内であるか否かを判断するとともに、過去のシーンまたはショットでの想定評価値と認識評価値の差との関係で、想定評価値と認識評価値の差が広がっているか、縮まっているか、認識評価値は増加傾向であるのが好ましいのか、減少傾向であるのが好ましいのか、認識評価値として極大値や極小値をとるのが好ましいのかなど、想定評価値と認識評価値の差および認識評価値の変化の傾向を判断する。
【０１８３】
例えば、想定評価値と認識評価値の差が許容範囲内であっても、それが大きくなっているときには、視聴者の反応（評価）が予想した方向と異なる方向になっていると判断する。
【０１８４】
システムコントローラ７は、このような判断結果に基づいて、コンテンツの再生特性を制御し、コンテンツのストーリー展開を変更する。
【０１８５】
具体的に、想定評価値と認識評価値の比較結果から、例えば、視聴者が予想より怖がっていないと判断される場合には、以降のシーンやショットでの映像の明るさや音響のレベルなどの映像音響特性を変え、または以降のストーリー展開を変える。
【０１８６】
また、例えば、視聴者が予想より楽しんでいない、予想より興味を示していない、予想よりそのシーンに集中していない、と判断される場合には、以降のストーリー展開を変える。
【０１８７】
ストーリー展開の変え方としては、一つには、後の展開を暗示するようなシーン、または以前のシーンから予想できるようなシーンを挿入することによって、ストーリー展開を予想できるようにする。これによって、視聴者のストーリーへの注目度を高めることができる。あるいは逆に、ストーリー展開を暗示するシーン内容を変え、または削除することによって、ストーリー展開を容易に予想できないようにし、ストーリー展開に飽きないようにする。
【０１８８】
ストーリーやシーンまたはショットを変更する場合には、視聴者が示した過去の反応値または認識評価値の履歴を参考にすることができる。その履歴は、そのとき呈示されているコンテンツに対する、それまでの反応値または認識評価値を記憶しておいたものでも、視聴者が過去に視聴した別のコンテンツに対する反応値または認識評価値を記憶しておいたものでもよい。
【０１８９】
コンテンツの再生特性は、映像については、輝度、コントラスト、彩度、色合い（色相）などであり、音響については、周波数特性やレベルなどである。
【０１９０】
ストーリー展開の変更は、例えば、あるシーンを呈示するとき、複数のシーンの中から一つを選択して呈示し、またはシーンを構成する一部のショットを入れ替えて呈示する、などの方法によって行う。
【０１９１】
ストーリー展開を変更するために、シーンまたはショットの入れ替えを随時、行うように構成することもできるが、所定の場面に限ってシーンまたはショットの入れ替えを許可するように構成することもできる。
【０１９２】
選択可能な複数のシーンには、コンテンツに対する視聴者の感じ方の流れを制御するために、「起承転結」など、認識評価の意味付けや方向付けに関する指標を、あらかじめ付けておき、システムコントローラ７が、その指標と、想定評価値と認識評価値の比較結果とから、呈示するシーンを選択するように、光ディスク再生装置を構成する。
【０１９３】
ショットの入れ替えについても、同様に、ショットについての指標を付けておき、その指標と、想定評価値と認識評価値の比較結果とから、シーンを構成するショットが選択されるように、光ディスク再生装置を構成する。
【０１９４】
＜認識評価値を直接入力する場合＞
この例においても、反応値入力部６１、反応値解析部６２および認識評価値算出部６３に代えて、認識評価値入力部を設けて、視聴者が各項目についての認識評価値を直接入力する構成とすることができる。
【０１９５】
（コンテンツ受信装置の一例（放送受信装置）：図１３および図１４）
第２の実施形態のコンテンツ受信装置は、一例として、ＢＳデジタル放送などのデジタルＴＶ放送を受信する装置として構成することができる。
【０１９６】
デジタルＴＶ放送では、コンテンツ識別情報として、番組ＩＤ（識別子）や番組名などが放送されるとともに、番組やシーンまたはショットに挿入して、その映像特性や音響特性などを記述した情報、いわゆるメタデータを放送することができる。
【０１９７】
図１３は、放送受信装置の一例を示す。受信選局部７１では、操作部６での選局操作に基づくシステムコントローラ７の選局制御によって、放送信号が受信選局される。その受信選局された信号は、復調・エラー訂正部７２で復調され、エラー訂正された後、バッファとして機能する記憶装置部７３に書き込まれ、記憶装置部７３から読み出される。
【０１９８】
記憶装置部７３から読み出された信号は、デマルチプレクサ１３に供給され、デマルチプレクサ１３から、それぞれ符号化された映像データ、音響データおよび字幕データが、分離されて得られる。その他は、図１０の例の光ディスク再生装置と同じである。
【０１９９】
なお、反応値や認識評価値を、コンテンツ（番組）のシーンまたはショットごとに測定または算出する場合、シーンまたはショットの区間を示す情報は、コンテンツとともに放送されるものでもよいが、再生された映像や音響の特徴から、システムコントローラ７がシーンまたはショットの区間を検出する構成とすることもできる。
【０２００】
図１４は、放送受信装置の他の例を示す。この例では、デジタルＴＶ放送として、コンテンツ（番組の映像データおよび音響データ）に多重化されて、上述した想定評価値データが放送されるとともに、放送受信装置でコンテンツのストーリー展開を変更できるように、放送受信装置で選択可能な複数のシーンまたはショットが放送されるものとする。
【０２０１】
受信選局部７１では、想定評価値データを含む放送信号が受信選局され、その受信選局された信号は、復調・エラー訂正部７２で復調され、エラー訂正された後、記憶装置部７３に書き込まれ、記憶装置部７３から読み出される。記憶装置部７３は、バッファとしても機能するが、コンテンツのストーリー展開の変更用にシーンまたはショットを選択するためのものである。
【０２０２】
記憶装置部７３から読み出された信号は、デマルチプレクサ１３に供給され、デマルチプレクサ１３から、それぞれ符号化された映像データ、音響データ、字幕データおよび想定評価値データが、分離されて得られる。その他は、図１２の例の光ディスク再生装置と同じである。
【０２０３】
そして、この放送受信装置では、想定評価値と認識評価値の比較結果に基づくシステムコントローラ７の制御により、記憶装置部７３から読み出されるシーンまたはショットが選択されることによって、コンテンツのストーリー展開が変えられる。
【０２０４】
図１３または図１４の例の放送受信装置についても、反応値入力部６１、反応値解析部６２および認識評価値算出部６３に代えて、認識評価値入力部を設け、視聴者が各項目についての認識評価値を直接入力する構成とすることができる。
【０２０５】
（コンテンツ受信装置の他の例：図１５および図１６）
第２の実施形態のコンテンツ受信装置は、別の例として、コンテンツ送信要求によって送信元から送信されたコンテンツを受信する装置として構成することもできる。
【０２０６】
図１５は、この場合のコンテンツ受信装置の一例を示す。このコンテンツ受信装置では、送信機能と受信機能を備える通信装置部８９によって、インターネットなどの通信ネットワーク９を介して送信元に、コンテンツの送信を要求し、通信ネットワーク９を介して送信元から、コンテンツを受信する。
【０２０７】
操作部６での操作に基づいて、システムコントローラ７は、通信装置部８９に対して、コンテンツ識別情報を送って、それに対応したコンテンツを要求する信号を送信元に送ることを指示する。
【０２０８】
この指示を受けて、通信装置部８９は、送信元との間の通信回線を確保して、送信元にコンテンツ識別情報に対応したコンテンツを要求する。通信回線を確保できなかった場合には、通信装置部８９はシステムコントローラ７にエラーを通知する。送信元との間の通信の結果、送信元が指定されたコンテンツを送信できないことが分かった場合にも、通信装置部８９はシステムコントローラ７にエラーを通知する。
【０２０９】
送信元から送信され、通信装置部８９で受信されたコンテンツは、復調・エラー訂正部８２で復調され、エラー訂正された後、バッファとして機能する記憶装置部８３に書き込まれ、記憶装置部８３から読み出される。
【０２１０】
その他は、図１３の例の放送受信装置と同じである。ただし、この図１５の例では、通信装置部８９が同時に、図１０〜図１４の例の通信装置部６７のデータ送信機能を備える。
【０２１１】
コンテンツの情報量が多い場合には、視聴の進行に応じて送信元からコンテンツが送信されるように、システムを構成することもでき、その場合には、コンテンツの進行を示すタイムスタンプやアドレス情報によって、コンテンツの送信の中断および再開が制御されるように、システムを構成する。
【０２１２】
なお、反応値や認識評価値をコンテンツのシーンまたはショットごとに測定または算出する場合、シーンまたはショットの区間を示す情報は、コンテンツとともに送信元から送信されるものでもよいが、再生された映像や音響の特徴から、システムコントローラ７がシーンまたはショットの区間を検出する構成とすることもできる。
【０２１３】
図１６は、この場合のコンテンツ受信装置の他の例を示す。この例では、送信元から、コンテンツとともに上述した想定評価値データが送信されるとともに、コンテンツ受信装置でコンテンツのストーリー展開を変更できるように、コンテンツ受信装置で選択可能な複数のシーンまたはショットが送信される。
【０２１４】
送信元から送信され、通信装置部８９で受信されたコンテンツおよび想定評価値データは、復調・エラー訂正部８２で復調され、エラー訂正された後、記憶装置部８３に書き込まれ、記憶装置部８３から読み出される。記憶装置部８３は、バッファとしても機能するが、コンテンツのストーリー展開の変更用にシーンまたはショットを選択するためのものである。
【０２１５】
その他は、図１４の例の放送受信装置と同じである。ただし、この図１６の例では、通信装置部８９が同時に、図１０〜図１４の例の通信装置部６７のデータ送信機能を備える。
【０２１６】
図１５または図１６の例のコンテンツ受信装置についても、反応値入力部６１、反応値解析部６２および認識評価値算出部６３に代えて、認識評価値入力部を設け、視聴者が各項目についての認識評価値を直接入力する構成とすることができる。
【０２１７】
（収集解析装置および収集解析方法の例：図１７〜図１９）
第２の実施形態のコンテンツ評価収集解析方法では、集計センターにおいて、図１０〜図１６の例のような端末装置（コンテンツ再生装置またはコンテンツ受信装置）から送信されたデータを受信して、各情報を検出し、コンテンツに対する視聴者の評価を解析する。
【０２１８】
図１７は、集計センターに設けられる収集解析装置の一例を示す。この収集解析装置１００では、通信装置部１０１で、図１０〜図１６の例のような端末装置から、通信ネットワーク９を介して送信されたデータ、すなわち、コンテンツ呈示時刻情報と関連づけられた認識評価値情報、送信元識別情報およびコンテンツ識別情報、さらには視聴者情報が多重化されたデータを受信する。
【０２１９】
その受信されたデータは、復調・エラー訂正部１０２で復調され、エラー訂正された後、バッファ１０３に書き込まれ、バッファ１０３から読み出されて、システムコントローラ１０４に取り込まれる。
【０２２０】
システムコントローラ１０４は、送信元識別情報によって送信元を識別し、コンテンツ識別情報によって評価対象のコンテンツを識別し、視聴者情報によって視聴者の属性を識別して、受信した認識評価値を、コンテンツごとに選別し、視聴者の属性ごとに分類して、記憶装置部１０５に書き込む。
【０２２１】
さらに、システムコントローラ１０４は、操作部１０６からの指示によって、記憶装置部１０５から認識評価値を読み出し、呈示時系列ごとに集計して、コンテンツに対する視聴者の評価を解析する。集計は、認識評価値の時系列変化パターンの近似度によって行う。
【０２２２】
記憶装置部１０５には、あらかじめコンテンツごとに、コンテンツ提供者（制作者）によって設定された上述した想定評価値を書き込んでおくことができ、評価対象のコンテンツについての想定評価値が記憶装置部１０５に書き込まれている場合には、システムコントローラ１０４は、その想定評価値と認識評価値を比較することによって、コンテンツに対する視聴者の評価を解析する。
【０２２３】
システムコントローラ１０４での解析結果は、記憶装置部１０５に記録されるとともに、表示制御部１０７によってディスプレイ１０８上に表示される。
【０２２４】
図１８は、収集解析装置１００での収集処理ルーチンの一例を示す。この収集処理ルーチン１１０では、まずステップ１１１で、データを受信し、次にステップ１１２で、データの復調およびエラー訂正を行い、次にステップ１１３で、送信元識別情報およびコンテンツ識別情報を判別し、次にステップ１１４で、コンテンツ呈示時刻情報が付加された認識評価値を検出して、送信元識別情報およびコンテンツ識別情報とともに、記憶装置部１０５に書き込み、次にステップ１１５で、データ収集を止めるか否かを判断し、データ収集を続行するときには、ステップ１１１に戻ってステップ１１１以下の処理を繰り返し、データ収集を止めるときには、収集処理を終了する。
【０２２５】
図１９は、収集解析装置１００での解析処理ルーチンの一例を示す。この解析処理ルーチン１２０では、まずステップ１２１で、記憶装置部１０５から認識評価値を読み出し、次にステップ１２２で、想定評価値を読み出すか否かを判断し、読み出すときには、ステップ１２２からステップ１２３に進んで、記憶装置部１０５から想定評価値を読み出した上で、ステップ１２４に進む。記憶装置部１０５に評価対象のコンテンツについての想定評価値が書き込まれていない場合には、ステップ１２２から直接、ステップ１２４に進む。
【０２２６】
ステップ１２４では、想定評価値と認識評価値を比較して、または比較しないで認識評価値のみから、コンテンツに対する視聴者の評価を解析し、次にステップ１２５に進んで、その解析結果を、記憶装置部１０５に記録し、ディスプレイ１０８上に表示する。
【０２２７】
ステップ１２４では、システムコントローラ１０４は、具体的に以下のような解析を行う。
【０２２８】
想定評価値と認識評価値を比較する場合には、図１２、図１４および図１６の例の端末装置につき上述したのと同様に、評価対象のシーンまたはショットでの想定評価値と認識評価値の差が、あらかじめ設定された許容範囲内であるか否かを判断するとともに、過去のシーンまたはショットでの想定評価値と認識評価値の差との関係で、想定評価値と認識評価値の差が広がっているか、縮まっているか、認識評価値は増加傾向であるのが好ましいのか、減少傾向であるのが好ましいのか、認識評価値として極大値や極小値をとるのが好ましいのかなど、想定評価値と認識評価値の差および認識評価値の変化の傾向を判断する。
【０２２９】
例えば、想定評価値と認識評価値の差が許容範囲内であっても、それが大きくなっているときには、視聴者の反応（評価）が予想した方向と異なる方向になっていると判断する。
【０２３０】
想定評価値と認識評価値を比較しないで認識評価値のみから、コンテンツに対する視聴者の評価を解析する場合にも、認識評価値の大小や変化の傾向から、同様に、呈示されたコンテンツに対する視聴者の心理状態を判断し、視聴者がコンテンツ提供者が期待した通りの心理状態にあるか否かを判断する。
【０２３１】
コンテンツ提供者は、ディスプレイ１０８上に表示された、このシステムコントローラ１０４の解析結果から、例えば、視聴者が予想より怖がっていないことが分かった場合には、コンテンツを編集し直して、コンテンツの映像の明るさや音響のレベルなどの映像音響特性を変え、ストーリー展開を変えることができる。
【０２３２】
また、例えば、視聴者が予想より楽しんでいない、予想より興味を示していない、予想よりそのシーンに集中していない、ことが分かった場合には、コンテンツのストーリー展開を変えることができる。
【０２３３】
ストーリーやシーンまたはショットを変更する場合には、視聴者が示した過去の認識評価値の履歴を参考にすることができる。その履歴は、そのとき呈示されたコンテンツに対する、それまでの認識評価値を記憶しておいたものでも、視聴者が過去に視聴した別のコンテンツに対する認識評価値を記憶しておいたものでもよい。
【０２３４】
評価対象のコンテンツが、放送または配信された番組やコマーシャルである場合には、コンテンツ提供者は、その番組やコマーシャルについての視聴者の、興味や関心の程度、印象の強さ、好ましく思う程度を、呈示時刻ごとに知ることができる。
【０２３５】
受信したデータに視聴者情報が含まれている場合には、コンテンツ提供者は、視聴者の年齢層、性別、居住地域、過去のコンテンツ視聴履歴などごとに、視聴者の興味や好みの傾向を、呈示時刻ごとに解析することができる。
【０２３６】
コンテンツが旅行記のようなものであれば、コンテンツ提供者は、視聴者の好みの旅行先、興味があったイベントや宿泊先などを知ることができ、従来の視聴率調査やアンケート調査より視聴者の好みや興味を直接的に反映した調査結果を得ることができる。
【０２３７】
（コンテンツ評価収集解析の他の例）
上述したコンテンツ評価収集解析に係る発明は、光ディスク以外の記録媒体からコンテンツを再生する装置、あるいは、コンテンツが映像情報のみからなる場合、または音響情報のみからなる場合にも、適用することができる。
【０２３８】
〔コンテンツ評価集計管理の実施形態：図２０〜図３０〕
第３の実施形態として、再生または受信されたコンテンツに対する視聴者の評価を集計し、管理する場合を、以下に示す。
【０２３９】
（コンテンツ再生装置の一例：図２０および図２１）
図２０は、第３の実施形態のコンテンツ再生装置としての光ディスク再生装置の一例を示す。
【０２４０】
光ディスク１には、コンテンツが記録されている。この場合のコンテンツは、映画などの映像情報および音響情報で、具体的には、映像データおよび音響データが、ＭＰＥＧ方式によって圧縮符号化され、多重化されて、光ディスク１に記録されている。
【０２４１】
さらに、光ディスク１には、デコード・タイムスタンプなどのデコード時刻情報、およびプレゼンテーション・タイムスタンプなどのコンテンツ呈示時刻情報（再生時刻情報）が記録されている。
【０２４２】
＜再生装置の概要＞
光ディスク１は、ディスクモータ３によって駆動される。光ヘッド（ピックアップ）４は、送りモータとトラッキング用およびフォーカシング用のアクチュエータを含むドライブニユット５によって駆動される。
【０２４３】
操作部６での視聴者の再生操作によって、システムコントローラ７は、ドライブユニット５に光ディスク１の再生を指示し、光ヘッド４によって、光ディスク１から信号が読み出される。その読み出された信号は、復調・エラー訂正部１１で復調され、エラー訂正された後、バッファ１２に書き込まれ、バッファ１２から読み出される。
【０２４４】
バッファ１２から読み出された信号は、デマルチプレクサ１３に供給され、デマルチプレクサ１３から、それぞれ符号化された映像データ、音響データおよび字幕データが、分離されて得られる。
【０２４５】
その映像データ、音響データおよび字幕データは、それぞれ、ビデオコードバッファ２１、オーディオコードバッファ３１および字幕コードバッファ４１に書き込まれ、ビデオコードバッファ２１、オーディオコードバッファ３１および字幕コードバッファ４１から読み出された後、それぞれ、ビデオデコーダ２２、オーディオデコーダ３２および字幕デコーダ４２でデコードされる。
【０２４６】
システムコントローラ７は、上記のデコード・タイムスタンプのようなタイミング情報に基づいて、各デコーダ２２，３２，４２におけるデコードタイミングを制御し、上記のプレゼンテーション・タイムスタンプのようなタイミング情報に基づいて、各デコーダ２２，３２，４２からのデータの時系列を整合させるように、各デコーダ２２，３２，４２における出力タイミングを制御する。
【０２４７】
ビデオデコーダ２２からの映像データ、および字幕デコーダ４２からの字幕データは、ビデオ処理部２３に供給され、ビデオ処理部２３において、映像信号中に字幕信号がスーパーインポーズされる。
【０２４８】
ビデオ処理部２３の出力の映像信号は、ビデオ出力端子２４に導出され、ビデオ出力端子２４から、ＣＲＴディスプレイや液晶ビデオプロジェクタなどの映像表示装置２５に送出される。
【０２４９】
映像信号は、ビデオ処理部２３でアナログ映像信号に変換されることなくデジタル映像データのまま、Ｄ／Ａ変換部を備える映像表示装置２５に送出され、またはビデオ処理部２３でアナログ映像信号に変換されて、映像表示装置２５に送出される。
【０２５０】
オーディオデコーダ３２からの音響データは、オーディオ処理部３３で処理され、オーディオ処理部３３の出力の音響信号は、オーディオ出力端子３４に導出され、オーディオ出力端子３４から、スピーカやヘッドホンなどの音響出力装置３５に送出される。
【０２５１】
音響信号も、オーディオ処理部３３でアナログ音響信号に変換されることなくデジタル音響データのまま、Ｄ／Ａ変換部を備える音響出力装置３５に送出され、またはオーディオ処理部３３でアナログ音響信号に変換されて、音響出力装置３５に送出される。
【０２５２】
光ディスク１からコンテンツが再生されると、映像表示装置２５で表示された映像および音響出力装置３５から出力された音響を視聴した視聴者の反応が、反応値として反応値入力部６１から入力される。システムコントローラ７は、光ディスク１からのコンテンツの再生と同時に、反応値入力部６１によって視聴者の反応を測定する。
【０２５３】
反応値入力部６１から入力された反応値は、反応値解析部６２で解析されて、反応値解析部６２で別の反応値が算出される。さらに、認識評価値算出部６３では、反応値入力部６１から入力された反応値、および反応値解析部６２で算出された反応値から、光ディスク１から再生されたコンテンツに対する視聴者の印象や評価を示す認識評価値が算出される。
【０２５４】
算出された認識評価値の情報は、コンテンツ呈示時刻情報と関連づけられたものであり、多重化部６５において、視聴者コード（視聴者を特定するコード）およびコンテンツ識別コード（コンテンツを特定するコード）と多重化される。後述のように、視聴者コードは、コンテンツ再生に先立つ初期設定時、集計管理センターによって割り当てられる。
【０２５５】
多重化後のデータは、バッファ６６に書き込まれ、バッファ６６から読み出された後、通信装置部６７によって、インターネットなどの通信ネットワーク９を介して集計管理センターに送信される。
【０２５６】
端末装置としての光ディスク再生装置に対しては、あらかじめ装置の製造者などによって、端末コード（端末装置を特定するコード）が設定される。後述のように、この端末コードは、コンテンツ再生に先立つ初期設定時、端末装置（光ディスク再生装置）から集計管理センターに送信される。
【０２５７】
システムコントローラ７には、視聴者識別情報入力部９１、視聴者プロファイル入力部９２、および記憶装置部９３が接続される。
【０２５８】
視聴者識別情報入力部９１は、初期設定時およびコンテンツ再生開始時、視聴者によって視聴者識別情報（視聴者を特定する情報）が入力されるものである。具体的に、視聴者識別情報入力部９１は、例えば、視聴者が定められた面に指を押すことによって、視聴者の指紋を視聴者識別情報として読み取り、または、視聴者がマイクロホンに向かって声を発することによって、視聴者の音声ピッチ周波数や声紋などの音声特徴を視聴者識別情報として読み取り、あるいは、視聴者が自身の通称やニックネームなどをアルファベットなどで入力することによって、その通称やニックネームなどを視聴者識別情報として検出するものとされる。
【０２５９】
視聴者プロファイル入力部９２は、初期設定時、視聴者によって視聴者プロファイルが入力されるものである。視聴者プロファイルは、具体的には、視聴者の年齢、性別、居住地域、趣味など、視聴者の属性を示す情報や、視聴者が過去に視聴したコンテンツの履歴を示す情報などである。
【０２６０】
初期設定時、視聴者識別情報入力部９１によって入力された視聴者識別情報、および視聴者プロファイル入力部９２によって入力された視聴者プロファイルは、記憶装置部９３に登録される。集計管理センターによって割り当てられた視聴者コードも、記憶装置部９３に登録される。
【０２６１】
なお、図２０では、反応値入力部６１、反応値解析部６２、認識評価値算出部６３、多重化部６５およびシステムコントローラ７を、機能的に分離して示しているが、反応値入力部６１の信号処理や、反応値解析部６２、認識評価値算出部６３および多重化部６５の機能は、システムコントローラ７の一部の機能として構成することもできる。
【０２６２】
＜反応値の測定および認識評価値の算出＞
反応値入力部６１は、各種のセンサと信号処理部によって構成され、信号処理部において、センサ出力の測定データにつき、微分、積分、相関演算などの演算処理が実行されることによって、反応値が得られる。
【０２６３】
ただし、反応値入力部６１としては、センサ部分とインタフェース部分のみを備え、システムコントローラ７でセンサ出力が処理されることによって、反応値が算出される構成としてもよい。
【０２６４】
視聴者の反応を測定するセンサは、視聴者が座る座席の座面、背もたれ、肘掛などの部分、視聴者が装着するヘッドセットのイヤパッドやヘッドバンド、視聴者が操作するリモートコマンダなどに取り付けられる。
【０２６５】
反応値としては、視聴者の反応として測定されたデータそのものと、反応値解析部６２で反応値入力部６１からの測定データを解析することによって得られるデータとがある。
【０２６６】
具体的に、視聴者の反応として測定する項目は、心電図、呼吸数、呼吸周期、筋電図、脳血流量、脳波、発汗量、皮膚温度、瞳孔径、開眼度、瞬き、表情、手足の血流量、耳たぶの血流量、手足の温度などである。
【０２６７】
また、映画やゲーム、後述の放送受信装置の場合の視聴者参加型ドラマなどでは、反応値として、視聴者の能動的行動の観測によって得られた値、例えば、視聴者が発生した音声のピッチ周波数やその変動、声の大きさやその変動、操作レバーを動かすときの動きの滑らかさや力の大きさなどを用いることができる。
【０２６８】
反応値解析部６２で、これらの測定データを解析することによって得られるデータは、例えば、瞬きの時点を示すデータから算出される、瞬きの無い時間の間隔を示すデータや、開眼度と瞬きの無い時間の変動、口の表情などから算出される、笑いの区間を示すデータなどである。
【０２６９】
さらに、反応値解析部６２では、開眼度・瞳孔径の変化や筋電図（手足の筋肉の緊張度）から、驚きの区間を示すデータを算出することができ、発汗量、心拍数およびその上昇度、瞳孔径の変化、手足の血流量の変化、手足の温度の変化などから、緊張の区間を示すデータを算出することができる。
【０２７０】
複数の測定データから新たな反応値を算出する方法としては、各測定データを線形結合する方法などを用いることができる。
【０２７１】
認識評価値算出部６３では、反応値入力部６１から入力された反応値、および反応値解析部６２で算出された反応値から、コンテンツに対する視聴者の印象や評価が認識評価値として算出される。
【０２７２】
具体的な認識評価値としては、興味や関心の程度を示す評価値、印象の強さを示す評価値、好ましさの程度を示す評価値、恐怖の程度を示す評価値などが算出される。
【０２７３】
興味や関心の程度を示す認識評価値は、開眼度、瞬き度、心拍数などの関数として算出される。印象の強さを示す認識評価値は、開眼度、心拍数、発汗量などの関数として算出される。好ましさの程度を示す認識評価値は、心拍数の安定性や発汗量の安定性、手足の温度、手足の血流量などから算出される。恐怖の程度を示す認識評価値は、驚き度や緊張度などから算出される。
【０２７４】
なお、ここでの認識評価値は、認識の意味を考えて定義され、算出されるものであって、それぞれが独立であるとは限らない。
【０２７５】
認識評価値は、多次元データとして表現することもできる。その場合には、各次元の意味を示す識別子を付加して、認識評価値データとする。
【０２７６】
反応値や認識評価値は、時々刻々と測定または算出することもできるが、再生されたコンテンツのシーンやショットなど、コンテンツの区切りごとに測定または算出してもよい。この場合、シーンやショットなどの区間を示す情報は、コンテンツとともに光ディスク１に記録されているものでもよいが、再生された映像や音響の特徴から、システムコントローラ７がシーンやショットなどの区間を検出する構成とすることもできる。
【０２７７】
＜コンテンツ再生時のデータ送信＞
認識評価値および視聴者コードと多重化されて集計管理センターに送信されるコンテンツ識別コードは、コンテンツそれ自体に付加されたものに限らず、例えば、光ディスク１に一つのコンテンツしか記録されてなく、かつディスク識別コード（ディスクを特定するコード）が記録されている場合には、そのディスク識別コードをコンテンツ識別コードとすることができる。また、光ディスク１に一つのコンテンツしか記録されてなく、かつディスク識別コードが記録されていない場合には、ディスクに含まれるチャプタ数と上演時間とを組合せるなど、ディスクのヘッダ情報を所定の規則で組合せて、ディスク識別コードとし、コンテンツ識別コードとすることができる。
【０２７８】
認識評価値情報、視聴者コードおよびコンテンツ識別コードは、認識評価値情報をデータ部とし、視聴者コードおよびコンテンツ識別コードをヘッダ部として、多重化部６５で多重化されて、通信装置部６７によって集計管理センターに送信される。
【０２７９】
認識評価値情報は、５秒、３０秒などというような所定時間間隔で、その都度送信され、またはコンテンツの再生が全て終了した時点で、まとめて送信される。いずれの場合にも、上記の各情報は、バッファ６６に一時記憶された後、通信装置部６７によって集計管理センターに送信される。
【０２８０】
映画などのように長時間のコンテンツは、視聴者が何回かに分けて視聴することも考えられる。このようにコンテンツの途中で再生を一時停止した場合には、システムコントローラ７が、その停止した箇所を特定する情報や、その箇所での認識評価値およびコンテンツ呈示時刻情報を保持して、同じコンテンツについての次回のコンテンツ再生およびデータ送信の用に供するように、光ディスク再生装置を構成する。
【０２８１】
＜メモリカード利用のリモートコントローラ：図２５＞
反応値入力部６１、視聴者識別情報入力部９１、視聴者プロファイル入力部９２および記憶装置部９３などは、端末装置のリモートコントローラに設けると、好適である。
【０２８２】
図２５は、この場合の例を示し、操作部６、反応値入力部６１、視聴者識別情報入力部９１、視聴者プロファイル入力部９２、コントローラ９７および無線送受信部９８が、リモートコントローラ１０ｂに設けられるとともに、記憶装置部としてのメモリカード９４が、リモートコントローラ１０ｂに対して着脱可能に設けられる。端末装置本体１０ａには、無線送受信部８が、システムコントローラ７に接続されて設けられる。
【０２８３】
この例では、初期設定時、視聴者識別情報入力部９１によって入力された視聴者識別情報、視聴者プロファイル入力部９２によって入力された視聴者プロファイル、および集計管理センターによって割り当てられた視聴者コードが、メモリカード９４に登録される。視聴者は、登録後、メモリカード９４を、旅行先などに携帯して、旅行先などで端末装置のリモートコントローラ１０ｂに装着することによって、自宅以外の旅行先などにおいても、コンテンツを視聴して、それに対する認識評価値を集計管理センターに送信することができる。
【０２８４】
＜認識評価値を直接入力する場合：図２１＞
図２０の例は、反応値入力部６１からの反応値から認識評価値算出部６３で認識評価値を算出する場合であるが、視聴者が各項目についての認識評価値を直接入力する構成とすることもできる。
【０２８５】
図２１は、この場合の例を示し、図２０の例の反応値入力部６１、反応値解析部６２および認識評価値算出部６３に代えて、認識評価値入力部６４を設ける。
【０２８６】
認識評価値入力部６４は、例えば、興味や関心の程度は「−２」、好ましさの程度は「＋３」というように、視聴者が各項目についての認識評価値を数値で入力する構成とし、または、認識評価値の各項目ごとにレバーを設け、視聴者が各レバーをプラス方向またはマイナス方向にスライドさせる構成とする。
【０２８７】
あるいは、認識評価値入力部６４を、マイクロホンと音声認識機能を有する信号処理部とからなるものとして、「全く興味がない」「非常に好ましい」などというように、視聴者が各項目についての認識評価値を音声で入力する構成とすることもできる。
【０２８８】
（コンテンツ再生装置の他の例：図２２）
図２２は、第３の実施形態のコンテンツ再生装置としての光ディスク再生装置の他の例を示す。
【０２８９】
この例では、光ディスク１には、コンテンツとともに、これについての想定評価値が記録されている。想定評価値は、視聴者がコンテンツを視聴したときのコンテンツに対する印象や評価を想定したものであり、呈示する映像の種類や明るさ、呈示する音響の種類やレベル（音の大きさ）、呈示するコンテンツのストーリー展開などを考慮して、コンテンツ提供者（制作者）が設定したものである。
【０２９０】
呈示されるコンテンツには、多くの場合、物語性があり、呈示された視聴者の心理状態も、ストーリー展開によって変化するのが普通である。そのため、同じ映像や音響であっても、場面によって、それに対する感じ方や解釈など、印象や評価が異なることが予想される。したがって、想定評価値は、映像や音響の特性（映像の明るさや音響のレベルなどの物理的性質）のほかに、呈示されるコンテンツの物語性も考慮して、コンテンツのシーンやショットなど、コンテンツの区切りごとに設定される。当然、視聴者に注目してほしいシーンやショットは、興味や関心の程度を示す認識評価値が高くなるように映像音響的に工夫することになるので、そのシーンやショットの想定評価値も高く設定されることになる。
【０２９１】
上述した各種の反応値から算出された認識評価値と、その時間経過を見れば、呈示されたコンテンツに対する視聴者の心理状態が分かる。また、あらかじめコンテンツ提供者によって上記のように設定された想定評価値と、各種の反応値から算出された認識評価値とを比較することによって、視聴者がコンテンツ提供者が期待した通りの心理状態にあるか否かが分かる。
【０２９２】
図２２の例は、認識評価値に代えて、この想定評価値と認識評価値の比較結果の比較評価値を集計管理センターに送信する場合である。想定評価値データは、符号化され、この例では、映像データおよび音響データに多重化されて、光ディスク１に記録されている。想定評価値の時間軸管理および多重化の具体的な方法は、コンテンツ呈示制御に係る第１の実施形態と同じである。
【０２９３】
光ディスク１からコンテンツが再生されると同時に、光ディスク１から想定評価値データが読み出される。読み出された想定評価値データは、デマルチプレクサ１３で分離されて、想定評価値コードバッファ５１に書き込まれ、想定評価値コードバッファ５１から読み出された後、想定評価値デコーダ５２でデコードされる。デコーダされた想定評価値も、コンテンツ呈示時刻情報と関連づけられたものである。
【０２９４】
一方、コンテンツが再生されると同時に、図２０の例と同様に、反応値入力部６１で、視聴者の反応が反応値として測定され、認識評価値算出部６３で、再生されたコンテンツに対する視聴者の印象や評価を示す認識評価値が算出される。
【０２９５】
さらに、この例では、比較評価値算出部５４で、想定評価値デコーダ５２でデコードされた想定評価値と、認識評価値算出部６３で算出された認識評価値とが比較される。
【０２９６】
認識評価値と同様に、想定評価値は、多次元データとして表現することもできる。その場合には、各次元の想定評価値データの前に、その次元の意味を示す識別子が付加される。このように想定評価値および認識評価値が多次元データとして表現される場合には、比較評価値算出部５４での想定評価値と認識評価値の比較は、例えば、多次元ベクトルの方向および大きさを比較することによって行う。
【０２９７】
そして、この例では、コンテンツ再生時、比較評価値算出部５４から得られた、想定評価値と認識評価値の比較結果の比較評価値が、多重化部６５において、視聴者コードおよびコンテンツ識別コードと多重化され、その多重化後のデータが、バッファ６６に書き込まれ、バッファ６６から読み出されて、通信装置部６７によって、通信ネットワーク９を介して集計管理センターに送信される。
【０２９８】
この例においても、反応値入力部６１、反応値解析部６２および認識評価値算出部６３に代えて、認識評価値入力部を設けて、視聴者が各項目についての認識評価値を直接入力する構成とすることができる。
【０２９９】
また、図２５の例のように、メモリカード９４をリモートコントローラ１０ｂに対して着脱可能に設ける構成とすることもできる。
【０３００】
（コンテンツ受信装置の一例（放送受信装置）：図２３および図２４）
第３の実施形態のコンテンツ受信装置は、一例として、ＢＳデジタル放送などのデジタルＴＶ放送を受信する装置として構成することができる。
【０３０１】
この場合のコンテンツは、番組の映像情報および音響情報であるとともに、コンテンツ識別コードとしては、番組コードなどが用いられる。
【０３０２】
図２３は、放送受信装置の一例を示す。受信選局部７１では、操作部６での選局操作に基づくシステムコントローラ７の選局制御によって、放送信号が受信選局される。その受信選局された信号は、復調・エラー訂正部７２で復調され、エラー訂正された後、バッファ７３に書き込まれ、バッファ７３から読み出される。
【０３０３】
バッファ７３から読み出された信号は、デマルチプレクサ１３に供給され、デマルチプレクサ１３から、それぞれ符号化された映像データ、音響データおよび字幕データが、分離されて得られる。その他は、図２０の例の光ディスク再生装置と同じである。
【０３０４】
なお、反応値や認識評価値を、コンテンツ（番組）のシーンまたはショットごとに測定または算出する場合、シーンまたはショットの区間を示す情報は、コンテンツとともに放送されるものでもよいが、再生された映像や音響の特徴から、システムコントローラ７がシーンまたはショットの区間を検出する構成とすることもできる。
【０３０５】
図２４は、放送受信装置の他の例を示す。この例では、デジタルＴＶ放送として、コンテンツ（番組の映像データおよび音響データ）に多重化されて、上述した想定評価値データが放送され、図２２の例の光ディスク再生装置と同様に、想定評価値と認識評価値の比較結果の比較評価値が集計管理センターに送信される。
【０３０６】
受信選局部７１では、想定評価値データを含む放送信号が受信選局され、その受信選局された信号は、復調・エラー訂正部７２で復調され、エラー訂正された後、バッファ７３に書き込まれ、バッファ７３から読み出される。
【０３０７】
バッファ７３から読み出された信号は、デマルチプレクサ１３に供給され、デマルチプレクサ１３から、それぞれ符号化された映像データ、音響データ、字幕データおよび想定評価値データが、分離されて得られる。その他は、図２２の例の光ディスク再生装置と同じである。
【０３０８】
図２３または図２４の例の放送受信装置についても、反応値入力部６１、反応値解析部６２および認識評価値算出部６３に代えて、認識評価値入力部を設け、視聴者が各項目についての認識評価値を直接入力する構成とすることができる。
【０３０９】
また、図２５の例のように、メモリカード９４をリモートコントローラ１０ｂに対して着脱可能に設ける構成とすることもできる。
【０３１０】
（集計管理装置および集計管理方法の例：図２６〜図３０）
第３の実施形態のコンテンツ評価集計管理方法では、集計管理センター（以下では「センター」と略称する）において、図２０〜図２５の例のような端末装置（コンテンツ再生装置またはコンテンツ受信装置）から送信されたデータを受信し、各情報を検出して、コンテンツに対する視聴者の評価を解析し、評価の履歴を更新するとともに、視聴者管理データを更新する。
【０３１１】
図２６は、センターに設けられる集計管理装置の一例を示す。この集計管理装置１３０は、通信装置部１３１、復調・エラー訂正部１３２、バッファ１３３、システムコントローラ１３４、評価データベース１３５、視聴者管理データベース１３６、操作部１３７、表示制御部１３８およびディスプレイ１３９によって構成される。
【０３１２】
端末装置１０から通信ネットワーク９を介して送信されたデータは、通信装置部１３１で受信され、復調・エラー訂正部１３２で復調され、エラー訂正された後、バッファ１３３に書き込まれ、バッファ１３３から読み出されて、システムコントローラ１３４に取り込まれる。
【０３１３】
システムコントローラ１３４は、後述のように、端末装置１０での初期設定処理に伴う登録処理、および端末装置１０でのコンテンツ再生処理に伴うデータ受信処理および評価解析処理を行うとともに、集計管理装置１３０の各部を制御する。
【０３１４】
評価データベース１３５は、コンテンツに対する視聴者の評価の履歴が記録され、かつ評価の解析結果が記録されるものであり、視聴者管理データベース１３６は、視聴者コードによって特定される個々の視聴者についての、点数（得点）などの管理データが記録されるものである。
【０３１５】
上述したシステムでは、端末装置１０でコンテンツを再生し（以下では、放送受信装置の場合の「受信」も「再生」に含める）、認識評価値または比較評価値を含むデータをセンターに送信する前に、端末装置１０では、図２７の左側に示すような初期設定処理ルーチンが実行され、センターの集計管理装置１３０では、同図の右側に示すような登録処理ルーチンが実行される。
【０３１６】
すなわち、端末側の初期設定処理ルーチン１４０では、システムコントローラ７は、まずステップ１４１で、視聴者プロファイル入力部９２での視聴者の入力操作によって、記憶装置部９３（またはメモリカード９４）に視聴者プロファイルを登録し、次にステップ１４２で、センターとの通信を開始し、次にステップ１４３で、センターに端末コードを送信し、次にステップ１４４で、センターに視聴者コードを要求する。
【０３１７】
センター側の登録処理ルーチン１５０では、システムコントローラ１３４は、まずステップ１５３で、通信装置部１３１によって、ステップ１４３で端末装置１０から送信された端末コードを受信し、次にステップ１５４で、ステップ１４４での端末装置１０からの要求に応じて、ステップ１５３で受信した端末コードに対して視聴者コードを、新規または追加的に割り当てて、通信装置部１３１によって、端末装置１０に送信する。
【０３１８】
ある端末コードに対して、視聴者コードを新規に割り当てるのは、その端末装置によってコンテンツを視聴しようとする第１の視聴者が視聴者コードを要求した場合であり、視聴者コードを追加的に割り当てるのは、同じ端末装置によってコンテンツを視聴しようとする第２、第３…の視聴者が視聴者コードを要求した場合である。いずれの場合にも、視聴者は自身の視聴者プロファイルを入力し、自身の視聴者コードをセンターに要求する。
【０３１９】
端末側の初期設定処理ルーチン１４０では、次にステップ１４５で、ステップ１５４でセンターから送信された視聴者コードを受信して、記憶装置部９３（またはメモリカード９４）に登録するとともに、その視聴者コードおよびステップ１４１で登録した視聴者プロファイルをセンターに送信する。
【０３２０】
センター側の登録処理ルーチン１５０では、次にステップ１５５で、この端末装置１０から送信された視聴者コードおよび視聴者プロファイルを受信して、視聴者管理データベース１３６内の視聴者管理データを更新する。具体的には、視聴者コードを割り当てた視聴者についての管理データを新たに設け、これに初期点数を付与する。初期点数は、任意に定めることができる。
【０３２１】
端末側の初期設定処理ルーチン１４０では、次にステップ１４６で、視聴者識別情報入力部９１での視聴者の入力操作によって、記憶装置部９３（またはメモリカード９４）に視聴者識別情報を登録し、次にステップ１４７で、センターとの通信を終了する。
【０３２２】
以上の初期設定処理ルーチン１４０および登録処理ルーチン１５０によって、端末装置１０の記憶装置部９３（またはメモリカード９４）には、視聴者コード、視聴者プロファイルおよび視聴者識別情報が登録されるとともに、センター側の視聴者管理データベース１３６には、割り当てた視聴者コードごとに視聴者管理データが設定される。
【０３２３】
以上のような初期設定後、端末装置１０でコンテンツが再生され、認識評価値または比較評価値を含むデータがセンターに送信される。図２８は、この場合に端末装置１０のシステムコントローラ７が行うコンテンツ再生処理ルーチンの一例を示す。
【０３２４】
このコンテンツ再生処理ルーチン１６０では、システムコントローラ７は、まずステップ１６１で、コンテンツの視聴に当たって視聴者が、視聴者識別情報入力部９１で視聴者識別情報を入力することによって、または図２５に示すように視聴者識別情報が登録されているメモリカード９４をリモートコントローラ１０ｂに装着することによって、コンテンツを視聴しようとする視聴者が登録された視聴者であることを確認した上で、ステップ１６２に進んで、コンテンツを選択し、再生する。
【０３２５】
次にステップ１６３で、視聴者コード、コンテンツ識別コード、および認識評価値または比較評価値を、多重化部６５で多重化して、バッファ６６に一時記憶する。認識評価値または比較評価値は、コンテンツ呈示時刻情報と関連づけられたものである。
【０３２６】
次にステップ１６４で、バッファ６６に記憶された視聴者コード、コンテンツ識別コード、および認識評価値または比較評価値を、通信装置部６７によってセンターに送信する。
【０３２７】
センターの集計管理装置１３０では、この端末装置１０から送信されたデータを受信し、各情報を検出して、コンテンツに対する視聴者の評価の履歴を更新し、視聴者管理データを更新する。図２９は、この場合に集計管理装置１３０のシステムコントローラ１３４が行うデータ受信処理ルーチンの一例を示す。
【０３２８】
このデータ受信処理ルーチン１７０では、システムコントローラ１３４は、まずステップ１７１で、通信装置部１３１によってデータを受信し、次にステップ１７２で、復調・エラー訂正部１３２によってデータの復調およびエラー訂正を行い、次にステップ１７３で、視聴者コードおよびコンテンツ識別コードを判別し、次にステップ１７４で、コンテンツ呈示時刻情報が付加された認識評価値または比較評価値を、視聴者コードおよびコンテンツ識別コードとともに、評価データベース１３５に書き込む。
【０３２９】
次にステップ１７５で、評価データベース１３５内の評価履歴を更新する。この場合の評価履歴は、個々の視聴者ごとに、視聴したコンテンツと、それに対する評価値（認識評価値または比較評価値）を記述したものである。
【０３３０】
次にステップ１７６で、視聴者管理データベース１３６内の視聴者管理データを更新し、次にステップ１７７で、データの受信を止めるか否かを判断し、データの受信を続行するときには、ステップ１７７からステップ１７１に戻って、ステップ１７１以下の処理を繰り返し、データの受信を止めるときには、データ受信処理を終了する。
【０３３１】
ステップ１７６での視聴者管理データの更新としては、具体的には、認識評価値または比較評価値を送信した視聴者の管理データに得点を加算する。この得点は、有料コンテンツの視聴料やショッピングの代金などの支払いに充当することができるようにし、充当した場合には、その分の得点を減じて視聴者管理データを更新する。
【０３３２】
さらに、集計管理装置１３０のシステムコントローラ１３４は、操作部１３７からの指示によって、評価データベース１３５から、認識評価値または比較評価値を、視聴者コードおよびコンテンツ識別コードとともに読み出し、呈示時系列ごとに集計して、コンテンツに対する視聴者の評価を解析する。集計は、認識評価値または比較評価値の時系列変化パターンの相関、分散によって行う。
【０３３３】
評価解析の具体的な方法としては、例えば、認識評価値を評価する場合、まず、個々の視聴者の評価値につき、極大値などのローカルピーク値を算出するとともに、コンテンツ呈示時刻との対応関係を検出する。
【０３３４】
次に、コンテンツ提供者（制作者）が用意したコンテンツ中のイベント区間ごとに、各視聴者のローカルピーク値を累計する。このとき、プラス値とマイナス値を別にして累計する。すなわち、「興味がない」「つまらない」などのマイナス値を、「興味がある」「好ましい」などのプラス値と別にして、累計することによって、視聴者の間でプラス評価とマイナス評価が分かれた場合でも、プラスとマイナスでゼロとなることなく、市場の評価を反映した集計を行うことができる。
【０３３５】
また、上述した例のように、初期設定時、端末装置１０から視聴者プロファイルを受信して、視聴者管理データベース１３６に記録する場合には、視聴者の年齢層、性別、居住地域、過去のコンテンツ視聴履歴などによって視聴者を分類して、認識評価値を集計する。
【０３３６】
コンテンツ視聴履歴によって視聴者を分類する場合、個々のコンテンツに付加されたコンテンツ識別コードによってコンテンツ視聴履歴を管理することもできるが、コンテンツを大まかに分類して、その分類ごとにコンテンツ視聴履歴を管理することもできる。コンテンツの分類としては、「スポーツ」「ドキュメント」「コメディー」「ラブストーリー」「アドベンチャー」などの一般的な分類のほかに、セマンティックスコアのような物語性評価パターンによる分類が考えられる。セマンティックスコアについては、高橋ほか著「セマンティックスコア法を用いた映画の構造表現」（日本デザイン学会、Ｖｏｌ．４７，Ｎｏ．６，５７−６６，２０００）に詳細に示されている。
【０３３７】
端末装置１０から送信され、評価データベース１３５に書き込まれる評価値が、想定評価値と認識評価値の比較結果の比較評価値ではなく、認識評価値である場合には、評価データベース１３５には、あらかじめコンテンツごとに、コンテンツ提供者によって設定された想定評価値を書き込んでおくことができる。
【０３３８】
システムコントローラ１３４は、このように評価対象のコンテンツについての想定評価値が評価データベース１３５に書き込まれている場合には、その想定評価値と、通信装置部１３１で受信されて評価データベース１３５に書き込まれた認識評価値とを比較することによって、コンテンツに対する視聴者の評価を解析する。
【０３３９】
システムコントローラ１３４での解析結果は、評価データベース１３５に記録されるとともに、表示制御部１３８によってディスプレイ１３９上に表示される。
【０３４０】
図３０は、以上のような評価解析処理ルーチンの一例を示す。この評価解析処理ルーチン１８０では、まずステップ１８１で、評価データベース１３５から認識評価値または比較評価値を読み出し、次にステップ１８２で、想定評価値を読み出すか否かを判断し、読み出すときには、ステップ１８２からステップ１８３に進んで、評価データベース１３５から想定評価値を読み出した上で、ステップ１８４に進む。
【０３４１】
評価データベース１３５から比較評価値が読み出される場合や、評価データベース１３５に評価対象のコンテンツについての想定評価値が書き込まれていない場合には、ステップ１８２から直接、ステップ１８４に進む。
【０３４２】
ステップ１８４では、評価データベース１３５から読み出した認識評価値と想定評価値を比較して、または評価データベース１３５から読み出した認識評価値のみから、または評価データベース１３５から読み出した比較評価値から、コンテンツに対する視聴者の評価を解析し、次にステップ１８５に進んで、その解析結果を、評価データベース１３５に記録し、ディスプレイ１３９上に表示する。
【０３４３】
ステップ１８４では、システムコントローラ１３４は、具体的に以下のような解析を行う。
【０３４４】
評価データベース１３５から読み出した認識評価値と想定評価値を比較して、または評価データベース１３５から読み出した比較評価値から、コンテンツに対する視聴者の評価を解析する場合には、評価対象のシーンまたはショットでの認識評価値と想定評価値の差（比較評価値）が、あらかじめ設定された許容範囲内であるか否かを判断するとともに、過去のシーンまたはショットでの差（比較評価値）との関係で、その差（比較評価値）が大きくなっているか、小さくなっているか、認識評価値は増加傾向であるのが好ましいのか、減少傾向であるのが好ましいのか、認識評価値として極大値や極小値をとるのが好ましいのかなど、認識評価値と想定評価値の差（比較評価値）および認識評価値の変化の傾向を判断する。
【０３４５】
例えば、認識評価値と想定評価値の差が許容範囲内であっても、それが大きくなっているときには、視聴者の反応（評価）が予想した方向と異なる方向になっていると判断する。
【０３４６】
認識評価値のみからコンテンツに対する視聴者の評価を解析する場合にも、認識評価値の大小や変化の傾向から、同様に、呈示されたコンテンツに対する視聴者の心理状態を判断し、視聴者がコンテンツ提供者が期待した通りの心理状態にあるか否かを判断する。
【０３４７】
コンテンツ提供者は、ディスプレイ１３９上に表示された、このシステムコントローラ１３４の解析結果から、例えば、視聴者が予想より怖がっていないことが分かった場合には、コンテンツを編集し直して、コンテンツの映像の明るさや音響のレベルなどの映像音響特性を変え、ストーリー展開を変えることができる。
【０３４８】
また、例えば、視聴者が予想より楽しんでいない、予想より興味を示していない、予想よりそのシーンに集中していない、ことが分かった場合には、コンテンツのストーリー展開を変えることができる。
【０３４９】
ストーリーやシーンまたはショットを変更する場合には、視聴者が示した過去の認識評価値または比較評価値の履歴を参考にすることができる。その履歴は、そのとき呈示されたコンテンツに対する、それまでの認識評価値または比較評価値を記憶しておいたものでも、視聴者が過去に視聴した別のコンテンツに対する認識評価値または比較評価値を記憶しておいたものでもよい。
【０３５０】
評価対象のコンテンツが、放送された番組やコマーシャルである場合には、コンテンツ提供者は、その番組やコマーシャルについての視聴者の、興味や関心の程度、印象の強さ、好ましく思う程度を、呈示時刻ごとに知ることができる。
【０３５１】
また、コンテンツ提供者は、視聴者の年齢層、性別、居住地域、過去のコンテンツ視聴履歴などごとに、視聴者の興味や好みの傾向を、呈示時刻ごとに解析することができる。
【０３５２】
コンテンツが旅行記のようなものであれば、コンテンツ提供者は、視聴者の好みの旅行先、興味があったイベントや宿泊先などを知ることができ、従来の視聴率調査やアンケート調査より視聴者の好みや興味を直接的に反映した調査結果を得ることができる。
【０３５３】
（コンテンツ評価集計管理の他の例）
上述したコンテンツ評価集計管理に係る発明は、光ディスク以外の記録媒体からコンテンツを再生する装置、または配信元からインターネットなどの通信ネットワークを介して配信されるコンテンツを受信する装置、あるいは、コンテンツが映像情報のみからなる場合、または音響情報のみからなる場合にも、適用することができる。
【０３５４】
【発明の効果】
上述したように、この発明によれば、コンテンツ提供者が意図した印象や評価を視聴者に与えることができるとともに、視聴者が興味や関心を示す事項を推測して、コンテンツの再生特性やストーリー展開を、視聴者が興味や関心を示す方向に変化させることもできる。
【図面の簡単な説明】
【図１】この発明のコンテンツ再生装置の一例を示す図である。
【図２】この発明のコンテンツ再生装置の一例を示す図である。
【図３】この発明のコンテンツ再生装置の一例を示す図である。
【図４】この発明のコンテンツ再生装置の一例を示す図である。
【図５】この発明のコンテンツ受信装置の一例を示す図である。
【図６】この発明のコンテンツ受信装置の一例を示す図である。
【図７】この発明のコンテンツ受信装置の一例を示す図である。
【図８】この発明のコンテンツ受信装置の一例を示す図である。
【図９】想定評価値を記述したデータの一例を示す図である。
【図１０】この発明のコンテンツ再生装置の一例を示す図である。
【図１１】この発明のコンテンツ再生装置の一例を示す図である。
【図１２】この発明のコンテンツ再生装置の一例を示す図である。
【図１３】この発明のコンテンツ受信装置の一例を示す図である。
【図１４】この発明のコンテンツ受信装置の一例を示す図である。
【図１５】この発明のコンテンツ受信装置の一例を示す図である。
【図１６】この発明のコンテンツ受信装置の一例を示す図である。
【図１７】この発明のコンテンツ評価収集解析装置の一例を示す図である。
【図１８】コンテンツ評価収集処理ルーチンの一例を示す図である。
【図１９】コンテンツ評価解析処理ルーチンの一例を示す図である。
【図２０】この発明のコンテンツ再生装置の一例を示す図である。
【図２１】この発明のコンテンツ再生装置の一例を示す図である。
【図２２】この発明のコンテンツ再生装置の一例を示す図である。
【図２３】この発明のコンテンツ受信装置の一例を示す図である。
【図２４】この発明のコンテンツ受信装置の一例を示す図である。
【図２５】端末装置の操作入力部をリモートコントローラとして構成する場合の一例を示す図である。
【図２６】この発明のコンテンツ評価集計管理装置の一例を示す図である。
【図２７】端末装置での初期設定処理ルーチンおよびコンテンツ評価集計管理装置での登録処理ルーチンの一例を示す図である。
【図２８】端末装置でのコンテンツ再生処理ルーチンの一例を示す図である。
【図２９】コンテンツ評価集計管理装置でのデータ受信処理ルーチンの一例を示す図である。
【図３０】コンテンツ評価集計管理装置でのコンテンツ評価解析処理ルーチンの一例を示す図である。
【符号の説明】
主要部については図中に全て記述したので、ここでは省略する。
【図１】
0003644502.tif 000002
【図２】
0003644502.tif 000003
【図３】
0003644502.tif 000004
【図４】
0003644502.tif 000005
【図５】
0003644502.tif 000006
【図６】
0003644502.tif 000007
【図７】
0003644502.tif 000008
【図８】
0003644502.tif 000009
【図９】
0003644502.tif 000010
【図１０】
0003644502.tif 000011
【図１１】
0003644502.tif 000012
【図１２】
0003644502.tif 000013
【図１３】
0003644502.tif 000014
【図１４】
0003644502.tif 000015
【図１５】
0003644502.tif 000016
【図１６】
0003644502.tif 000017
【図１７】
0003644502.tif 000018
【図１８】
0003644502.tif 000019
【図１９】
0003644502.tif 000020
【図２０】
0003644502.tif 000021
【図２１】
0003644502.tif 000022
【図２２】
0003644502.tif 000023
【図２３】
0003644502.tif 000024
【図２４】
0003644502.tif 000025
【図２５】
0003644502.tif 000026
【図２６】
0003644502.tif 000027
【図２７】
0003644502.tif 000028
【図２８】
0003644502.tif 000029
【図２９】
0003644502.tif 000030
【図３０】
0003644502.tif 000031